(57)【要約】  ネットワーク信用証明書を取得するためのシステム及び方法を開示する。いくつかの実施形態では、方法が、デジタル装置を使用してネットワーク装置からネットワーク識別子を受け取るステップと、このネットワーク識別子を含む第１の信用証明書要求をネットワーク上の別のデジタル装置に提供するステップと、この別のデジタル装置から追加のネットワーク情報の要求を受け取るステップと、この別のデジタル装置に追加のネットワーク情報を含む第２の信用証明書要求を提供するステップと、この別のデジタル装置からネットワーク信用証明書を含む信用証明書要求応答を受け取るステップと、この信用証明書要求応答から取り出したネットワーク信用証明書をネットワーク装置に提供するステップとを含む。【選択図】  図１５
2012531822.tif 000002
【特許請求の範囲】
【請求項１】
デジタル装置を使用してネットワーク装置からネットワーク識別子を受け取るステップと、
前記ネットワーク識別子を含む第１の信用証明書要求をネットワーク上の別のデジタル装置に提供するステップと、
前記別のデジタル装置から追加のネットワーク情報の要求を受け取るステップと、
前記別のデジタル装置に追加のネットワーク情報を含む第２の信用証明書要求を提供するステップと、
前記別のデジタル装置からネットワーク信用証明書を含む信用証明書要求応答を受け取るステップと、
前記信用証明書要求応答から取り出した前記ネットワーク信用証明書を前記ネットワーク装置に提供するステップと、
を含むことを特徴とするネットワーク信用証明書を取得するための方法。
【請求項２】
前記第１の信用証明書要求は、ＤＮＳプロトコルメッセージとしてフォーマットされる、
ことを特徴とする請求項１に記載の方法。
【請求項３】
前記第１の信用証明書要求は、前記ネットワーク装置上のオープンポートを介して前記別のデジタル装置に提供される、
ことを特徴とする請求項１に記載の方法。
【請求項４】
前記オープンポートはポート５３である、
ことを特徴とする請求項３に記載の方法。
【請求項５】
前記ネットワーク識別子はＳＳＩＤである、
ことを特徴とする請求項１に記載の方法。
【請求項６】
前記追加のネットワーク情報はＢＳＳＩＤである、
ことを特徴とする請求項１に記載の方法。
【請求項７】
前記追加のネットワーク情報は、前記デジタル装置が前記ネットワーク装置から受け取ったウェブページのタイトルである、
ことを特徴とする請求項１に記載の方法。
【請求項８】
前記追加のネットワーク情報は、前記デジタル装置が前記ネットワーク装置から受け取ったウェブページのＵＲＬである、
ことを特徴とする請求項１に記載の方法。
【請求項９】
前記追加のネットワーク情報は、前記デジタル装置が前記ネットワーク装置から受け取ったウェブページに関連するいずれかの部分のハッシュである、
ことを特徴とする請求項１に記載の方法。
【請求項１０】
ネットワーク装置からネットワーク識別子を受け取るように構成された要求モジュールと、
前記ネットワーク識別子を含む第１の信用証明書をネットワーク上の別のデジタル装置に提供し、該別のデジタル装置から追加のネットワーク情報の要求を受け取り、前記別のデジタル装置に追加のネットワーク情報を含む第２の信用証明書要求を提供し、前記別のデジタル装置からネットワーク信用証明書を含む信用証明書要求応答を受け取り、前記信用証明書要求応答から取り出した前記ネットワーク信用証明書を前記ネットワーク装置に提供するように構成された応答モジュールと、
を備えることを特徴とするネットワーク信用証明書を取得するためのシステム。
【請求項１１】
前記第１の信用証明書要求は、ＤＮＳプロトコルメッセージとしてフォーマットされる、
ことを特徴とする請求項１０に記載のシステム。
【請求項１２】
前記応答モジュールは、前記ネットワーク装置上のオープンポートを介して前記別のデジタル装置に前記第１の信用証明書要求を提供する、
ことを特徴とする請求項１０に記載のシステム。
【請求項１３】
前記オープンポートはポート５３である、
ことを特徴とする請求項１２のシステム。
【請求項１４】
前記ネットワーク識別子はＳＳＩＤである、
ことを特徴とする請求項１０に記載のシステム。
【請求項１５】
前記追加のネットワーク情報はＢＳＳＩＤである、
ことを特徴とする請求項１０に記載のシステム。
【請求項１６】
前記追加のネットワーク情報は、前記デジタル装置が前記ネットワーク装置から受け取ったウェブページのタイトルである、
ことを特徴とする請求項１０に記載のシステム。
【請求項１７】
前記追加のネットワーク情報は、前記デジタル装置が前記ネットワーク装置から受け取ったウェブページのＵＲＬである、
ことを特徴とする請求項１０に記載のシステム。
【請求項１８】
前記追加のネットワーク情報は、前記デジタル装置が前記ネットワーク装置から受け取ったウェブページに関連するいずれかの部分のハッシュである、
ことを特徴とする請求項１０に記載のシステム。
【請求項１９】
方法を含む命令を記憶するように構成されたコンピュータ可読記憶媒体であって、前記方法は、
デジタル装置を使用してネットワーク装置からネットワーク識別子を受け取るステップと、
前記ネットワーク識別子を含む第１の信用証明書要求をネットワーク上の別のデジタル装置に提供するステップと、
前記別のデジタル装置から追加のネットワーク情報の要求を受け取るステップと、
前記別のデジタル装置に追加のネットワーク情報を含む第２の信用証明書要求を提供するステップと、
前記別のデジタル装置からネットワーク信用証明書を含む信用証明書要求応答を受け取るステップと、
前記信用証明書要求応答から取り出した前記ネットワーク信用証明書を前記ネットワーク装置に提供するステップと、
を含むことを特徴とするコンピュータ可読記憶媒体。
【請求項２０】
前記第１の信用証明書要求は、ＤＮＳプロトコルメッセージとしてフォーマットされる、
ことを特徴とする請求項１９に記載のコンピュータ可読記憶媒体。
【発明の詳細な説明】
【技術分野】
【０００１】
本発明は、一般に通信ネットワークへのアクセスに関する。より詳細には、本発明は、ネットワーク信用証明書を取得してネットワークにアクセスすることに関する。
【背景技術】
【０００２】
ネットワークを使用して情報にアクセスすることが増えることにより、様々な活動に関してネットワーク通信への依存度が高まってきた。この依存度とともに、ネットワークアクセスが至る所で可能になるという期待が高まっている。無線技術の向上により、モバイルユーザのネットワークアクセスは特に強化されてきた。様々なセルラ（ＧＳＭ（登録商標）、ＣＤＭＡなど）、Ｗｉ−Ｆｉ（すなわちＩＥＥＥ  ８０２．１１）、ＷｉＭａｘ（すなわちＩＥＥＥ  ８０２．１６）及びその他の技術により、潜在的ネットワークユーザに対して広範囲にわたるアクセスオプションが可能になってきた。多くの無線アクセスポイントすなわち「ホットスポット」は、局所的な地理的領域でしかアクセスすることができず、特定の会社又はその他の住所と同じぐらい狭いこともある。また、戦略的に配置されたホットスポットは、全ての人々に公的又は私的ネットワークアクセスを提供することができる。
【先行技術文献】
【特許文献】
【０００３】
【特許文献１】米国特許出願第１１／８９９，６９７号明細書
【特許文献２】米国特許出願第１１／８９９，６３８号明細書
【発明の概要】
【発明が解決しようとする課題】
【０００４】
ホットスポットの所有者又は管理者は、ユーザアクセスを可能にするために、多くの場合パスワードなどを要求する。この結果、複数のホットポットのユーザは、数多くのパスワードを記憶し、覚え、又は別様に管理する必要が生じ得る。多くのユーザは、ホットスポットへのアクセスに使用するラップトップコンピュータ上に自身のパスワードを記憶することができる。しかしながら、ホットスポットにアクセスできる装置は、全てがラップトップコンピュータであるとは限らず、現在では携帯電話、携帯情報端末（ＰＤＡ）、及びその他の多くの装置が無線アクセス可能である。残念ながら、ユーザは、装置上に容易にパスワードを入力したり、或いは装置内にパスワードを記憶させることができないことが多い。例えば、無線アクセス可能な装置には、キーボードを有していないものもある。たとえ装置がキーボードを含んでいても、このキーボードは小さいことが多く、特に指先が器用でないユーザにとっては機能が限られることがある。
【０００５】
ユーザがラップトップコンピュータ上にパスワードを記憶する場合、ユーザはまず、ラップトップコンピュータにアクセスしてコンピュータに正しいパスワードを記憶させなければならない。パスワードが変わると、ユーザは、コンピュータ内のパスワードを更新する必要がある。また、装置内にユーザ名及びパスワードを記憶させると、装置が紛失又は盗難にあった場合にセキュリティ上の問題を生じる。
【０００６】
さらに、通常、ユーザは、パスワード、ユーザ名を入力し、ウェブサイトを渡り歩いてネットワークアクセスを得る必要がある。この過程には時間がかかり、またユーザが誤った情報を入力して、データを再入力せざるを得なくなる場合もある。
【０００７】
ユーザは、パスワードを手動入力する場合、難しいパスワードを覚えようとはしない。この結果、単純なパスワードでのアクセスは、ハッキングを受けやすく、ユーザのネットワークアクセス、ホットスポット及び／又はユーザの個人情報を危険にさらすことがある。さらに、ユーザの単純なパスワードがハッキングされたり、又は単純に推測される場合、ユーザのネットワークアクセスが盗まれることがある。
【０００８】
これまで、無線ネットワークに接続することは、無線装置のユーザにとって他の理由で複雑な処理であった。通常、ユーザは、２又はそれ以上のＷｉ−Ｆｉネットワークが存在する領域に入り、自身のラップトップ上でＷｉ−Ｆｉ機能を選択し、利用可能なＷｉ−Ｆｉネットワークを一覧にした一連の「走査結果」を見る。１つの例では、利用可能なＷｉ−Ｆｉネットワークのリストが、Ｗｉ−ＦｉネットワークＳＳＩＤ識別子のリストを含む。多くの場合、ユーザは、暗号化又は（ログインページなどの）その他のセキュリティメカニズムが存在しないＷｉ−Ｆｉネットワークを識別しなければならない。機能的な無線ネットワークもいくつか存在する一方で、ネットワークが使用できなくなるように誤設定された無線ネットワークも存在することが、ユーザの不満を増大させる。
【０００９】
通常、ユーザは、どのＷｉ−Ｆｉネットワークに接続すべきかを一覧に基づいて任意に判断する。通常、ユーザは、どのＷｉ−Ｆｉネットワークに接続すべきかを判断する際に、選択したＷｉ−Ｆｉネットワークが十分なサービス品質を提供するかどうか、或いはネットワークが動的ホスト構成プロトコル（ＤＨＣＰ）を介してＩＰアドレスを提供できるかどうかが分からない。
【００１０】
異なるネットワーク装置が類似のＳＳＩＤ又はその他の識別子を共有することは珍しくない。例えば、複数の公立図書館のＳＳＩＤが「図書館」を示すことがある。ＳＳＩＤが一意でないので、アクセスを得るために、どのネットワーク信用証明書を提供すべきかをＳＳＩＤのみに基づいて判断することは困難となり得る。例えば、「図書館」というＳＳＩＤを有する図書館には、ユーザが「ゲスト」であることを示すとアクセスを許可するところもある。同じＳＳＩＤを有する図書館でも、図書館カード識別子を必要とするところもある。
【課題を解決するための手段】
【００１１】
ネットワークアクセスのためのネットワーク信用証明書を提供する例示的な方法及びシステムについて説明する。この例示的な方法は、ネットワーク装置を介してデジタル装置から信用証明書要求を受け取るステップと、この信用証明書要求の中の少なくとも一部の情報に基づいてネットワーク記録を識別するステップと、このネットワーク記録に基づいて、複数のネットワーク信用証明書から１つのネットワーク信用証明書を取り出すステップと、複数のネットワーク信用証明書から取り出したネットワーク信用証明書を含む信用証明書要求応答をデジタル装置へ送信するステップとを含む。
【００１２】
この方法は、信用証明書要求を解読し、信用証明書要求を認証し、信用証明書要求応答を暗号化するステップをさらに含むことができる。さらに、この方法は、デジタル装置に基づいて暗号鍵を取り出すステップを含むこともできる。信用証明書要求は、ネットワーク装置の標準プロトコルを介して受け取ることができる。この標準プロトコルはＤＮＳとすることができる。
【００１３】
信用証明書要求は、位置識別子を含むことができる。方法は、デジタル装置から確認済みアクセス応答を受け取るステップをさらに含むことができる。
【００１４】
ネットワーク信用証明書を提供するための例示的なシステムは、信用証明書要求モジュール及び信用証明書要求応答モジュールを含むことができる。信用証明書要求モジュールは、デジタル装置からネットワーク装置を介して信用証明書要求を受け取るように構成することができる。信用証明書要求応答モジュールは、この信用証明書要求の中の少なくとも一部の情報に基づいてネットワーク記録を識別し、このネットワーク記録に基づいて複数のネットワーク信用証明書から１つのネットワーク信用証明書を取り出し、このネットワークを含む信用証明書要求応答をデジタル装置へ送信するように構成することができる。
【００１５】
例示的なコンピュータ可読媒体は、プログラムを含むことができる。このプログラムは、ネットワーク信用証明書を提供する方法を実施するためのプロセッサによって実行することができる。この方法は、ネットワーク装置を介してデジタル装置から信用証明書要求を受け取るステップと、この信用証明書要求の中の少なくとも一部の情報に基づいてネットワーク記録を識別するステップと、このネットワーク記録に基づいて複数のネットワーク信用証明書から１つのネットワーク信用証明書を取り出すステップと、複数のネットワーク信用証明書から取り出したネットワーク信用証明書を含む信用証明書要求応答をデジタル装置へ送信するステップとを含むことができる。
【００１６】
無線ネットワークを選択するためのシステム及び方法を開示する。いくつかの実施形態では、方法が、第１のネットワーク装置のための第１のネットワーク装置識別子及び第２のネットワーク装置のための第２のネットワーク装置識別子を受け取るステップと、第１の属性を含む、第１のネットワーク装置識別子に基づく第１のネットワークプロファイルを取得するステップと、第２の属性を含む、第２のネットワーク装置識別子に基づく第２のネットワークプロファイルを取得するステップと、第１の属性及び第２の属性の属性分析に基づいて第１のネットワーク装置識別子又は第２のネットワーク装置識別子を選択するステップとを含む。
【００１７】
様々な実施形態では、第１のネットワーク装置識別子及び第２のネットワーク装置識別子が、デジタル装置からサーバによって受け取られる。この方法は、選択に基づいて無線ネットワーク選択を行うステップをさらに含むことができる。この方法は、選択に基づいて信用証明書要求応答を提供するステップをさらに含むこともできる。
【００１８】
いくつかの実施形態では、ネットワーク選択識別子が第１のネットワーク装置識別子を含む。ネットワーク選択識別子はまた、第１のネットワーク装置識別子及び第２のネットワーク装置識別子を含むソート済みリストを含むこともでき、このリストは第１の属性及び第２の属性の属性分析に基づいてソートされる。属性は、性能測定基準、共有インジケータ、及びサービス識別子を含むことができる。
【００１９】
方法は、第１の属性及び第２の属性を最低要件と比較するステップをさらに含むことができ、第１のネットワーク識別子又は第２のネットワーク装置識別子を選択するステップは、この属性と最低要件の比較にも少なくとも部分的に基づく。方法はまた、第１の属性及び第２の属性を個別設定と比較するステップをさらに含むこともでき、第１のネットワーク識別子又は第２のネットワーク装置識別子を選択するステップは、この属性と個別設定の比較にも少なくとも部分的に基づく。方法はまた、ユーザ識別子を受け取り、このユーザ識別子に基づいてユーザアカウントから個別設定を取り出すステップをさらに含むこともできる。
【００２０】
様々な実施形態では、システムがデジタル装置及びサーバを含む。デジタル装置は、通信ネットワークに結合することができ、この通信ネットワークを介して第１のネットワーク装置のための第１のネットワーク装置識別子及び第２のネットワーク装置のための第２のネットワーク装置識別子を受け取るように構成することができる。サーバも通信ネットワークに結合するとができ、第１のネットワーク装置識別子及び第２のネットワーク装置識別子をデジタル装置から受け取って、第１の属性を含む、第１のネットワーク装置識別子に基づく第１のネットワークプロファイルを取得し、第２の属性を含む、第２のネットワーク装置識別子に基づく第２のネットワークプロファイルを取得し、第１の属性及び第２の属性の属性分析に基づいて第１のネットワーク装置識別子又は第２のネットワーク装置識別子を選択するように構成することができる。
【００２１】
コンピュータ可読記憶媒体は、方法を含む命令を記憶するように構成することができ、この方法は、第１のネットワーク装置のための第１のネットワーク装置識別子及び第２のネットワーク装置のための第２のネットワーク装置識別子を受け取るステップと、第１の属性を含む、第１のネットワーク装置識別子に基づく第１のネットワークプロファイルを取得するステップと、第２の属性を含む、第２のネットワーク装置識別子に基づく第２のネットワークプロファイルを取得するステップと、第１の属性及び第２の属性の属性分析に基づいて第１のネットワーク装置識別子又は第２のネットワーク装置識別子を選択するステップとを含む。
【００２２】
ネットワーク信用証明書を取得するシステム及び方法を開示する。いくつかの実施形態では、方法が、デジタル装置を使用してネットワーク装置からネットワーク識別子を受け取るステップと、このネットワーク識別子を含む第１の信用証明書要求をネットワーク上の別のデジタル装置に提供するステップと、この別のデジタル装置から追加のネットワーク情報の要求を受け取るステップと、この別のデジタル装置に追加のネットワーク情報を含む第２の信用証明書要求を提供するステップと、この別のデジタル装置からネットワーク信用証明書を含む信用証明書要求応答を受け取るステップと、この信用証明書要求応答から取り出したネットワーク信用証明書をネットワーク装置に提供するステップとを含む。
【００２３】
いくつかの実施形態では、第１の信用証明書要求が、ＤＮＳプロトコルを使用してフォーマットされる。第１の信用証明書要求は、ネットワーク装置上のオープンポートを介して他のデジタル装置に提供することができる。オープンポートは、ポート５３とすることができる。
【００２４】
ネットワーク識別子は、ＳＳＩＤなどの、ネットワークを識別するいずれかの識別子とすることができる。追加のネットワーク情報は、以下に限定されるわけではないが、ＢＳＳＩＤ、デジタル装置がネットワーク装置から受け取ったウェブページのタイトル、デジタル装置がネットワーク装置から受け取ったウェブページのＵＲＬ、又はデジタル装置がネットワーク装置から受け取ったウェブページのハッシュなどの、ネットワークに関連するいずれかの情報とすることができる。
【００２５】
例示的なシステムは、要求モジュール及び応答モジュールを備えることができる。要求モジュールは、ネットワーク装置からネットワーク識別子を受け取るように構成することができる。応答モジュールは、このネットワーク識別子を含む第１の信用証明書をネットワーク上の別のデジタル装置に提供し、この別のデジタル装置から追加のネットワーク情報の要求を受け取り、この別のデジタル装置に追加のネットワーク情報を含む第２の信用証明書要求を提供し、この別のデジタル装置からネットワーク信用証明書を含む信用証明書要求応答を受け取り、この信用証明書要求応答から取り出したネットワーク信用証明書をネットワーク装置に提供するように構成することができる。
【００２６】
構成される例示的なコンピュータ可読記憶媒体は、命令を記憶するように構成することができる。この命令は、方法を含むことができる。この方法は、デジタル装置を使用してネットワーク装置からネットワーク識別子を受け取るステップと、このネットワーク識別子を含む第１の信用証明書要求をネットワーク上の別のデジタル装置に提供するステップと、この別のデジタル装置から追加のネットワーク情報の要求を受け取るステップと、この別のデジタル装置に追加のネットワーク情報を含む第２の信用証明書要求を提供するステップと、この別のデジタル装置からネットワーク信用証明書を含む信用証明書要求応答を受け取るステップと、この信用証明書要求応答から取り出したネットワーク信用証明書をネットワーク装置に提供するステップとを含むことができる。
【図面の簡単な説明】
【００２７】
【図１】本発明の実施形態を実施できる環境を示す図である。
【図２】例示的な信用証明書サーバのブロック図である。
【図３】デジタル装置にネットワークアクセスを提供する例示的な処理のフロー図である。
【図４】例示的な信用証明書要求のブロック図である。
【図５】例示的な信用証明書要求応答のブロック図である。
【図６】ネットワーク信用証明書を提供する例示的な方法のフロー図である。
【図７】ネットワーク信用証明書を提供する例示的な方法の別のフロー図である。
【図８】ネットワーク信用証明書を受け取って記憶する例示的な方法のフロー図である。
【図９】例示的な信用証明書サーバのブロック図である。
【図１０】本発明の実施形態を実施できる別の環境を示す図である。
【図１１】無線ネットワークの選択を提供する例示的な処理のフロー図である。
【図１２】無線ネットワークを選択する例示的な処理のフロー図である。
【図１３】無線ネットワークを選択し、この選択した無線ネットワークにアクセスするための略図である。
【図１４】いくつかの実施形態におけるデジタル装置のボックス図である。
【図１５】いくつかの実施形態における、ネットワーク識別子がネットワーク信用証明書を識別するのに不十分な可能性がある場合の、ネットワーク信用証明書を取り出す例示的な方法のフロー図である。
【図１６】いくつかの実施形態における、ネットワーク識別子が不十分な場合にデジタル装置がネットワーク信用証明書を受け取る例示的な方法のフロー図である。
【図１７】いくつかの実施形態における、信用証明書サーバ１１６がネットワーク信用証明書を提供する例示的な方法のフロー図である。
【図１８】いくつかの実施形態における、２又はそれ以上のネットワークがネットワーク識別子を共有できる場合の、デジタル装置がネットワーク信用証明書を受け取る別の例示的な方法のフロー図である。
【発明を実施するための形態】
【００２８】
本発明の実施形態は、ネットワーク信用証明書を提供するためのシステム及び方法を提供する。例示的な実施形態では、信用証明書サーバが、ホットスポットにおけるデジタル装置からネットワーク信用証明書の要求を受け取る。この要求は、ホットスポットから信用証明書サーバへ中継される標準プロトコルとしてフォーマットすることができる。信用証明書サーバは、要求の中に含まれる少なくとも一部の情報に基づいてネットワーク記録を識別し、このネットワーク記録に関連する送信ネットワーク信用証明書をデジタル装置へ送信することができる。デジタル装置は、ネットワーク信用証明書を受け取り、ネットワークアクセスを取得するためにこれをネットワーク装置に提供することができる。
【００２９】
様々な実施形態では、ルールサーバが、様々なネットワーク属性に基づいてデジタル装置が接続できる複数の利用可能なネットワークから好ましいネットワークを識別することができる。１つの例では、デジタル装置が、利用可能なネットワークを求めて物理的領域を走査し、利用可能な無線ネットワークのリストを生成することができる。このリストをルールサーバに提供し、このルールサーバが、リスト上の個々の無線ネットワークのネットワークプロファイルを識別して取り出すことができる。次に、ルールサーバは（個々のプロファイルに含まれる属性などを通じて）個々のネットワークプロファイルを比較して、リストから好ましいネットワークを選択することができる。その後、ルールサーバは、この時点でネットワークにアクセスできるデジタル装置へ無線ネットワーク選択を送信することができる。
【００３０】
いくつかの実施形態では、デジタル装置が、信用証明書サーバにより提供された信用証明書を使用して、選択した無線ネットワークにアクセスする。１つの例では、ルールサーバが好ましい無線ネットワークを選択すると、ルールサーバ（又は、ルールサーバと通信している別のサーバ）は、選択した無線ネットワークに関連するネットワーク信用証明書を含む信用証明書要求応答を同時に（又はほぼ同時に）提供することができる。
【００３１】
図１は、本発明の実施形態を実施できる環境１００の図を示している。例示的な実施形態では、デジタル装置１０２を有するユーザがホットスポットに入る。デジタル装置１０２は、標準プロトコルとしての信用証明書要求を、ネットワーク装置１０４の向こうへ自動的に送信することができる。この信用証明書要求が信用証明書サーバ１１６へ転送され、この信用証明書サーバ１１６が、信用証明書要求の中に含まれる情報に基づいてデジタル装置１０２へ信用証明書要求応答を送信することができる。信用証明書要求応答はネットワーク信用証明書を含み、デジタル装置１０２は、これをネットワーク装置１０４、認証サーバ１０８又はアクセスコントローラ１１２に提供して通信ネットワーク１１４へのアクセスを取得することができる。
【００３２】
様々な実施形態では、ホットスポットが、（「ウォールド・ガーデン（ｗａｌｌｅｄ  ｇａｒｄｅｎ）」などの）ローカルエリアネットワーク１０６に結合されたネットワーク装置１０４、認証サーバ１０８、ＤＮＳサーバ１１０及びアクセスコントローラ１１２を含む。ネットワーク装置１０４は、デジタル装置１０２がローカルエリアネットワーク１０６を介して認証サーバ１０８、ＤＮＳサーバ１１０及びアクセスコントローラ１１２と通信できるようにするアクセスポイントを含むことができる。デジタル装置１０２は、ラップトップ、携帯電話、カメラ、携帯情報端末又はその他のあらゆるコンピュータ装置を含むことができる。認証サーバ１０８は、デジタル装置１０２を通信ネットワーク１１４にアクセスできるようにする前に、デジタル装置１０２にネットワーク信用証明書を要求するサーバである。ＤＮＳサーバ１１０は、ローカルエリアネットワーク１０６を介してＤＮＳサービスを提供するとともに、通信ネットワーク１１４を横切って他のＤＮＳサーバ（図示せず）へ要求を中継することができる。アクセスコントローラ１１２は、ネットワーク装置１０４に機能上結合された装置と、通信ネットワーク１１４に結合された装置との間の通信を可能にすることができるルータ又はブリッジなどのアクセス装置である。
【００３３】
図１のホットスポットは、ローカルエリアネットワーク１０６に結合された別個のサーバを示しているが、当業者であれば、ローカルエリアネットワーク１０６に結合された装置（サーバ、デジタル装置、アクセスコントローラ及びネットワーク装置など）はいくつ存在してもよいことを理解するであろう。いくつかの実施形態では、ローカルエリアネットワーク１０６が任意である。１つの例では、認証サーバ１０８、ＤＮＳサーバ１１０、及びアクセスコントローラ１１２が、ネットワーク装置１０４に直接結合される。様々な実施形態では、認証サーバ１０８、ＤＮＳサーバ１１０、及びアクセスコントローラ１１２を、１又はそれ以上のサーバ、或いは１又はそれ以上のデジタル装置内で組み合わせることができる。さらに、図１は無線アクセスを示しているが、デジタル装置１０２は、無線で又は（１０ｂａｓｅＴなどの）有線を介してネットワーク装置１０４に結合することができる。
【００３４】
通信ネットワーク１１４にアクセスするために、認証サーバ１０８は、デジタル装置１０２に、ホットスポットにアクセスするための１又はそれ以上のネットワーク信用証明書を提供するように求めることができる。ネットワーク信用証明書は、例えばホットスポットに関連するアカウント用のユーザ名及びパスワードを含むことができる。代替の実施形態では、ユーザ名及びパスワード以外のネットワーク信用証明書を利用することができる。
【００３５】
例示的な実施形態によれば、デジタル装置１０２は、ネットワーク信用証明書を信用証明書サーバ１１６から動的に取得することができる。デジタル装置１０２は、デジタル装置１０２（又はデジタル装置１０２のユーザ）のアイデンティティ及び（ネットワーク装置１０４又はＷｉ−Ｆｉサービス提供者名などの）ネットワーク装置１０４に関する詳細を含む信用証明書要求を信用証明書サーバ１１６へ送信することができる。
【００３６】
１つの例では、デジタル装置１０２がホットスポットに入る際に、ネットワーク装置１０４は、ＤＮＳクエリを提出できる相手先のＩＰアドレスを、例えばＤＨＣＰ（動的ホスト構成プロトコル）を介して提供することができる。信用証明書要求は、標準プロトコルとしてフォーマットすることができる。一例では、信用証明書要求をＤＮＳ要求としてフォーマットすることができる。信用証明書要求は、（アクセスコントローラ１１２などの）ネットワークインフラが要求を阻止しないように、（ＴＸＴなどの）標準記録形式を含むテキスト記録要求とすることができる。ネットワーク信用証明書を取得する処理に関するさらなる詳細が、２００７年９月６日に出願された「ネットワーク信用証明書を取得するためのシステム及び方法」という名称の同時係属中米国特許出願第１１／８９９，６９７号に記載されており、該特許出願は引用により本明細書に組み入れられる。
【００３７】
いくつかの実施形態では、信用証明書要求がＤＮＳサーバ１１０によって受け取られ、このＤＮＳサーバ１１０が、ネットワーク信用証明書を求めて信用証明書要求を信用証明書サーバ１１６へ転送することができる。例示的な実施形態では、信用証明書サーバ１１６が検索を実行して（単複の）適切なネットワーク信用証明書を決定してＤＮＳサーバ１１０へ返送し、このＤＮＳサーバ１１０が、要求元のデジタル装置１０２へネットワーク信用証明書を返送することができる。様々な実施形態では、（単複の）適切なネットワーク信用証明書が、信用証明書サーバ１１６から信用証明書要求の送信と同じ経路を介してデジタル装置１０２へ送信される。
【００３８】
図１には１つのＤＮＳサーバ１１０しか示していないが、信用証明書要求が信用証明書サーバ１１６によって受け取られる前に、限定するわけではないが、ＤＮＳサーバを含むあらゆる数のサーバを介して信用証明書要求を転送することができる。他の実施形態では、信用証明書要求が、ネットワーク装置１０４から信用証明書サーバ１１６へ直接転送される。
【００３９】
いくつかの実施形態では、信用証明書サーバ１１６からの信用証明書要求応答が、ユーザ名、パスワード及び／又はログイン手順情報を含むことができる。ログイン手順情報は、例えばＨＴＭＬ形式要素名、提出ＵＲＬ又は提出プロトコルを含むことができる。いくつかの実施形態では、信用証明書サーバ１１６が、ネットワーク信用証明書応答をデジタル装置１０２へ送信する前に、デジタル装置１０２に関連する暗号鍵を使用して暗号化することができる。
【００４０】
デジタル装置１０２がネットワーク信用証明書応答を受け取ると、デジタル装置１０２は、ネットワーク装置１０４に（ネットワーク信用証明書応答から取り出した）ネットワーク信用証明書を認証応答の形で提出することができる。例示的な実施形態では、検証のために認証応答を認証サーバ１０８へ転送することができる。いくつかの実施形態では、認証サーバ１０８が、ＡＡＡサーバ又はＲＡＤＩＵＳサーバを含むことができる。２００７年９月６日に出願された「ネットワークアクセスを取得するシステム及び方法」という名称の同時係属中米国特許出願第１１／８９９，６３８号に、ネットワークアクセスを取得する処理に関するさらなる詳細が記載されており、該特許出願は引用により本明細書に組み入れられる。
【００４１】
なお、図１は例示的なものである。代替の実施形態は、より多くの、より少ない、又は機能的に同等の構成要素を含むことができるが、これもまた本実施形態の範囲内にある。例えば、前述したように、（ＤＮＳサーバ１１０、信用証明書サーバ１１６及び認証サーバ１０８などの）様々なサーバの機能を組み合わせて１つ又は２つのサーバにすることができる。すなわち、例えば認証サーバ１０８及びＤＮＳサーバ１１０を同じサーバで構成できる場合、認証サーバ１０８、ＤＮＳサーバ１１０及びアクセスコントローラ１１２の機能を組み合わせて単一の装置にすることができる。
【００４２】
図２は、例示的な信用証明書サーバ１１６のブロック図である。信用証明書サーバ１１６は、認証モジュール２００、ネットワークモジュール２０２、信用証明書要求モジュール２０４、信用証明書要求応答モジュール２０６、暗号化／解読モジュール２０８、ネットワーク記録ストレージ２１０、及び暗号鍵ストレージ２１２を含む。モジュールは、ソフトウェア、ハードウェア、ファームウェア又は回路を個別に又は組み合わせて含むことができる。
【００４３】
認証モジュール２００は、信用証明書要求を認証して信用証明書要求応答にセキュリティを与えるように構成することができる。様々な実施形態では、デジタル装置１０２が、（共有暗号鍵又は鍵対の一部である暗号鍵などの）暗号鍵を使用して信用証明書要求を暗号化し、又は信用証明書要求にデジタル署名することができる。認証モジュール２００は、暗号鍵ストレージ２１２から取り出した適切な暗号鍵で信用証明書要求を解読することにより、信用証明書要求を認証することができる。１つの例では、デジタル装置１０２が信用証明書要求のハッシュを生成し、信用証明書要求の暗号化部分の中にハッシュを記憶する。認証モジュール２００は、信用証明書要求を解読し、信用証明書要求応答のハッシュを生成し、生成したハッシュを信用証明書要求の中に含まれるハッシュと比較して認証を行うことができる。
【００４４】
他の実施形態では、デジタル装置１０２がナンス（すなわちランダム値）を生成し、デジタル署名された信用証明書要求の一部の中にナンスを記憶することができる。認証モジュール２００は、デジタル署名を解読して信用証明書要求を認証し、ナンスを取り出すことができる。様々な実施形態では、信用証明書要求応答モジュール２０６が信用証明書要求応答を生成する（後述）際に、認証モジュール２００が信用証明書要求応答にナンスを含めることができる。その後、認証モジュール２００又は暗号化／解読モジュール２０８は、信用証明書要求応答を暗号化することができる。デジタル装置１０２が信用証明書要求応答を解読する場合、デジタル装置１０２は、信用証明書要求応答からナンスを取り出し、このナンスを、信用証明書要求に含めて送信したナンスと比較してさらなる認証を行うことができる。
【００４５】
ネットワークモジュール２０２は、信用証明書要求を受け取り、通信ネットワーク１１４を介して信用証明書要求応答を送信するように構成することができる。
【００４６】
信用証明書要求モジュール２０４は、ネットワークモジュール２０２から信用証明書要求を受け取ることができる。信用証明書要求は標準プロトコルとすることができる。１つの例では、信用証明書要求が（ＤＮＳなどの）ＵＤＰプロトコルである。
【００４７】
例示的な実施形態では、信用証明書要求モジュール２０４が、信用証明書要求からＤＤＩＤ及びＳＳＩＤを取り出すことができる。ＤＤＩＤは、デジタル装置１０２、デジタル装置１０２のユーザ、及び／又はネットワーク記録に関連するユーザを識別することができる。ＳＳＩＤは、ホットスポット又はホットスポットのサービスプロバイダ（すなわち運営会社）を識別することができる。
【００４８】
信用証明書要求モジュール２０４又は信用証明書要求応答モジュール２０６は、ＤＤＩＤ及びＳＳＩＤに基づいてネットワーク記録を識別することができる。ネットワーク記録とは、ＤＤＩＤ及びＳＳＩＤに（（リレーショナルデータベースのように）直接的に又は間接的に）関連する記録のことである。１つの例では、ネットワーク記録が、ＳＳＩＤに関連するホットスポットにおいてＤＤＩＤに関連するデジタル装置１０２にネットワークアクセスを提供するのに必要なネットワーク信用証明書を含む。ネットワーク記録は、ネットワーク記録ストレージ２１０内に記憶することができる。
【００４９】
信用証明書要求応答モジュール２０６は信用証明書要求応答を生成することができる。様々な実施形態では、信用証明書要求応答モジュール２０６が、ネットワーク記録からＤＤＩＤ及びＳＳＩＤに関連するネットワーク信用証明書を受け取る。いくつかの実施形態では、ネットワーク信用証明書が、クレジットカード番号を含むことができる。１つの例では、デジタル装置１０２が、ネットワーク信用証明書を受け取り、クレジットカード番号を取り出して、このクレジットカード番号を認証サーバ１０８に提供する。いくつかの例では、その後、認証サーバ１０８が、クレジットカード番号に関連するクレジットカードに料金を請求し、或いはこの情報を使用して、ネットワークアクセスを認める前にユーザのアイデンティティを確認することができる。
【００５０】
さらに、様々な実施形態では、ネットワーク信用証明書がログイン手順情報を含むことができる。１つの例では、信用証明書がユーザ名及びパスワードを含み、これらがデジタル装置１０２によって認証サーバ１０８から取り出された（認証フォームなどの）フォームで提供されることになる。いくつかの実施形態では、ログイン手順情報によってデジタル装置１０２に、フォーム内の特定のフィールドにネットワーク信用証明書を読み込んだ後で、完成したフォームを認証サーバ１０８に提出するように指示することができる。当業者であれば、信用証明書を認証サーバ１０８に提供するための方法は数多く存在することを理解するであろう。認証サーバに信用証明書を提供する処理は、２００７年９月６日に出願された「ネットワークアクセスを取得するシステム及び方法」という名称の同時係属中米国特許出願第１１／８９９，６３８号にさらに記載されている。
【００５１】
信用証明書要求応答モジュール２０６又は暗号化／解読モジュール２０８は、ＤＤＩＤ又は信用証明書要求に関連する暗号鍵で信用証明書要求応答を暗号化することができる。１つの例では、信用証明書サーバ１１６が１又はそれ以上の共有暗号鍵を記憶する。少なくとも１つのデジタル装置１０２により、個々の共有暗号鍵を共有することができる。信用証明書要求応答モジュール２０６は、デジタル装置１０２に関連する共有暗号鍵で信用証明書要求応答を暗号化することができる（例えば、共有暗号鍵をＤＤＩＤに関連付けることができる）。信用証明書要求応答モジュール２０６又は暗号化／解読モジュール２０８は、鍵対の一部である暗号鍵で信用証明書要求を暗号化することもできる。暗号化／解読モジュール２０８が信用証明書要求を暗号化する方法は、数多く存在し得る。
【００５２】
暗号化／解読モジュール２０８は、信用証明書要求を解読して信用証明書要求応答を暗号化することができる。上述したように、暗号化／解読モジュール２０８は、信用証明書要求のデジタル署名を解読することができる。１つの例では、暗号化／解読モジュール２０８が、信用証明書要求の中に含まれるＤＤＩＤに関連する暗号鍵に基づいてデジタル署名を解読する。暗号化／解読モジュール２０８は、信用証明書要求応答を暗号化することもできる。１つの例では、暗号化／解読モジュール２０８が、（共有暗号鍵又は鍵対の一部である暗号鍵などの）ＤＤＩＤに関連する暗号鍵に基づいて信用証明書要求応答を暗号化する。
【００５３】
様々な実施形態では、暗号化／解読モジュール２０８が、ネットワーク記録ストレージ２１０に含まれるネットワーク記録を暗号化して、暗号鍵ストレージ２１２を管理することができる。暗号化／解読モジュール２０８はまた、ネットワーク信用証明書を記憶する際に、（ＳＳＬ及びＨＴＴＰなどを介して）デジタル装置と安全な通信を確立することもできる。この処理については図７でさらに説明する。いくつかの実施形態によれば、暗号化／解読モジュール２０８を任意とすることができる。
【００５４】
ネットワーク記録ストレージ２１０及び暗号鍵ストレージ２１２は、ネットワーク記録及び暗号鍵をそれぞれ記憶することができる。ネットワーク記録ストレージ２１０及び暗号鍵ストレージ２１２は、１又はそれ以上のデータベースを含むことができる。１つの例では、ネットワーク記録ストレージ２１０がネットワーク記録を記憶することができる。ネットワーク記録は、ＤＤＩＤ、ＳＳＩＤ及びネットワーク信用証明書を含むことができる。ネットワーク記録はまた、ユーザがネットワーク記録にアクセスし、これらを変更、更新し、又は信用証明書サーバ１１６に記憶するためのユーザ名及びパスワードを含むこともできる。
【００５５】
様々な実施形態では、ネットワーク記録により、複数のデジタル装置１０２が同じネットワーク信用証明書を使用できるようにすることもできる。１つの例では、ユーザが複数のデジタル装置１０２を所有することができる。各々が異なるデジタル装置１０２に関連する複数のＤＤＩＤを、同じネットワーク記録に含めることができる。いくつかの実施形態では、複数の装置を１又はそれ以上のネットワーク記録に関連付けることができ、この１又はそれ以上のネットワーク記録がユーザに関連する。この結果、ユーザは、あらゆる数のデジタル装置１０２を使用して、ホットスポットに対してネットワーク信用証明書を取り出すことができる。当業者であれば、ネットワーク記録及び／又はこれに含まれる情報を記憶して体系化することができる方法（例えば、異なるデータ構造、データベース、記録、体系化方式及び／又は方法）は数多く存在することを理解するであろう。
【００５６】
図３は、デジタル装置１０２にネットワークアクセスを提供する例示的な処理のフロー図である。ステップ３００において、デジタル装置１０２は、最初にホットスポットに入る際に、ローカルエリアネットワーク１０６を求めて走査を行うことができる。走査の結果、ステップ３０２において、ネットワーク装置１０４がネットワーク構成情報を提供することができる。このネットワーク構成情報は、ＤＮＳサーバ１１０にアクセスするための１又はそれ以上のＩＰアドレスを含むことができる。
【００５７】
ステップ３０４において、デジタル装置１０２が信用証明書要求を生成する。その後、ステップ３０６において、先程ネットワーク装置１０４から受け取ったＩＰアドレスの１つを使用して、信用証明書要求をＤＮＳサーバ１１０へ送信することができる。
【００５８】
ステップ３０８において、信用証明書要求に基づいて、ＤＮＳサーバ１１０が信用証明書サーバ１１６を識別する。他の実施形態では、ＤＮＳサーバ１１０が、信用証明書要求を信用証明書サーバ１１６へ転送する。ＤＮＳサーバ１１０がＤＮＳ要求をローカルに解析できない場合、信用証明書要求は（ポート５３などを介して）通信ネットワーク１１４上の別のＤＮＳサーバに転送され、その後、このＤＮＳサーバが、信用証明書要求を信用証明書サーバ１１６へ転送することができる。ステップ３１０において、信用証明書要求が、信用証明書サーバ１１６へ直接、又は通信ネットワーク１１４上の１又はそれ以上のＤＮＳサーバを介して間接的に転送される。
【００５９】
ステップ３１２において、信用証明書サーバ１１６が、信用証明書要求に基づいて必要とされるネットワーク信用証明書を識別する。例えば、信用証明書要求は、デジタル装置１０２の識別子（すなわちＤＤＩＤ）、並びにホットスポットＳＳＩＤ（例えば、運営会社などのサービスプロバイダ）の識別子を含むことができる。信用証明書要求モジュール２０４又は信用証明書要求応答モジュール２０６により、これらの識別子を（ネットワーク記録などの）このような識別子の表と比較して、適切なネットワーク信用証明書を決定することができる。その後、ステップ３１４において、信用証明書要求応答モジュール２０６が信用証明書要求応答を生成し、ステップ３１６において、これがＤＮＳサーバ１１０へ中継して戻される。ステップ３１８において、ＤＮＳサーバ１１０が、信用証明書要求応答をデジタル装置へ転送する。
【００６０】
その後、ステップ３２０において、デジタル装置１０２が、信用証明書要求応答からネットワーク信用証明書を取り出すことができる。その後、ステップ３２２において、このネットワーク信用証明書をネットワーク装置１０４に提供することができる。ステップ３２４において、ネットワーク装置１０４が、ネットワーク信用証明書を確認した上でデジタル装置１０２にネットワークアクセスを提供する。
【００６１】
ここで図４を参照すると、例示的な信用証明書要求４００をより詳細に示している。例示的な実施形態によれば、信用証明書要求応答モジュール２０４が信用証明書要求応答４００を生成することができる。１つの実施形態では、信用証明書要求４００を、位置識別子４０２、シーケンス識別子４０４、署名４０６、ＤＤＩＤ４０８、サービスセット識別子（ＳＳＩＤ）４１０、及びバージョン識別子４１２を含む構造を有するＤＮＳ文字列とすることができる。
【００６２】
いずれかの位置識別子４０２は、デジタル装置１０２、ネットワーク装置１０４、認証サーバ１０８又はアクセスコントローラ１１２の物理的又は地理的位置を示すことができる。様々な実施形態では、信用証明書サーバ１１６が位置識別子４０２を使用して、ホットスポットの使用状況、デジタル装置１０２のユーザ、及びデジタル装置１０２を追跡することができる。
【００６３】
シーケンス識別子４０４は、その後の信用証明書サーバ１１６への要求に対応してログインが成功したかどうかを判定するために使用されるあらゆる数字又数字の組を含むことができる。すなわち、シーケンス識別子４０４は相関機構を提供し、この相関機構により信用証明書サーバ１１６がログイン処理を確認することができる。
【００６４】
例示的な実施形態では、署名４０６が、なりすましを防ぐために利用される暗号署名（すなわちデジタル署名）を含む。デジタル装置１０２からの要求の署名４０６は、信用証明書サーバ１１６により検証される。署名４０６が有効でなければ、この要求は信用証明書サーバ１１６により拒絶される。
【００６５】
ＤＤＩＤ４０８は、デジタル装置１０２の識別子を含む。例えば、ＤＤＩＤ４０８は、デジタル装置１０２のＭＡＣアドレス又はその他のいずれかの識別子を含むことができる。
【００６６】
ＳＳＩＤ４１０は、ネットワークアクセスポイント又はＷｉ−Ｆｉサービスプロバイダの識別子を含む。例えば、ＳＳＩＤ４１０は、サービスプロバイダ名、又はネットワーク装置１０４が動作している場所の名前を含むことができる。
【００６７】
バージョン識別子４１２は、信用証明書要求４００のプロトコル又はフォーマットを識別することができる。例えば、デジタル装置１０２は、信用証明書要求４００を生成し、データをいくつかの異なるフォーマットで体系化することができる。個々の異なるフォーマットを異なるバージョン識別子に関連付けることができる。いくつかの実施形態では、信用証明書要求応答モジュール２０６の構成要素を更新し、再構成し、又は徐々に変更することができ、これが信用証明書要求４００の構造に影響を与え得る。この結果、信用証明書サーバ１１６は、別様にフォーマットされた複数の信用証明書要求４００を受け取ることができる。信用証明書サーバ１１６は、それぞれのバージョン識別子に基づいて、個々の信用証明書要求が必要とする情報にアクセスすることができる。
【００６８】
図５は、例示的な信用証明書要求応答のブロック図である。例示的な実施形態によれば、信用証明書要求応答モジュール２０６が、信用証明書要求応答５００を生成することができる。１つの実施形態では、信用証明書要求応答５００が暗号化テキスト５０２を含むことができる。暗号化テキストは、いずれかのナンス５０４及び信用証明書情報５０６を含むことができる。信用証明書情報は、鍵／値の対５０８〜５１０を含むことができる。
【００６９】
上述したように、信用証明書要求応答を、暗号化テキスト５０２を含むＤＮＳ応答としてフォーマットすることができる。暗号化テキスト５０２は、（ユーザ名、パスワード及びログイン手順情報などの）ネットワーク信用証明書を含む。信用証明書要求応答５００を、暗号化テキスト５０２を含むように示しているが、信用証明書要求応答５００内のテキストを暗号化する必要はない。
【００７０】
暗号化テキスト５０２は、ナンスを含むことができる。上述したように、このナンスは、信用証明書要求から取り出すことができる。デジタル装置１０２は、信用証明書要求応答５００を受け取ると、信用証明書要求応答５００内のナンスを、信用証明書要求に含めて送信したナンスと比較して認証を行うことができる。図５では、ナンスを信用証明書要求応答５００に含まれた形で示しているが、ナンスは任意である。
【００７１】
信用証明書情報５０６は、ユーザ名、パスワード、ログイン手順情報、又はこれらの組み合わせを含むことができる。信用証明書情報５０６は鍵／値の対５０８〜５１０を含むことができる。信用証明書情報５０６内にはあらゆる数の鍵／値の対が存在することができる。鍵／値の対は、デジタル装置１０２が受け取って解釈する信用証明書情報を表すことができる。信用証明書情報５０６を鍵／値の対として示すのは例示目的にすぎず、信用証明書情報は、必ずしも鍵／値の対に限定されないあらゆるフォーマットとすることができる。
【００７２】
図６は、ネットワーク信用証明書を提供する例示的な方法のフロー図である。ステップ６０２において、信用証明書サーバ１１６が、デジタル装置１０２から信用証明書要求を受け取る。
【００７３】
様々な実施形態では、信用証明書サーバ１１６が、デジタル署名を暗号鍵で解読して認証する。その後、ステップ６０４において、信用証明書サーバ１１６が、ネットワーク記録に含まれるＤＤＩＤ及びＳＳＩＤに基づいてネットワーク記録を識別することができる。１つの例では、信用証明書要求応答モジュール２０６が、信用証明書要求の中のＤＤＩＤに関連する１又はそれ以上のネットワーク記録を取り出す。その後、信用証明書要求応答モジュール２０６は、取り出した（単複の）ネットワーク記録内のＳＳＩＤに関連する少なくとも１つのネットワーク信用証明書を識別する。
【００７４】
ステップ６０６において、信用証明書要求応答モジュール２０６が、選択したネットワーク記録から、識別した（単複の）ネットワーク信用証明書を取り出す。１つの例では、信用証明書要求応答モジュール２０６が、デジタル装置１０２のユーザがネットワークアクセスを取得するために認証サーバ１０８に提供しなければならないユーザ名及びパスワードを識別する。ステップ６０８において、信用証明書要求応答モジュール２０６が、（ユーザ名、パスワードなどの）ネットワーク信用証明書を含む信用証明書要求応答をデジタル装置１０２に対して生成する。
【００７５】
いくつかの実施形態では、信用証明書要求応答モジュール２０６が、ネットワーク信用証明書の一部としてログイン手順情報を識別することができる。信用証明書要求応答モジュール２０６は、（ＳＳＩＤに関連するパスワードを含む同じネットワーク記録などの）ネットワーク記録からログイン手順情報を取り出すことができる。ログイン手順情報は、ネットワークアクセスを取得するためにデジタル装置１０２が従うためのフォーム識別子及び（パラメータなどの）命令を含むことができる。１つの例では、デジタル装置１０２が、信用証明書要求応答の中のネットワーク信用証明書からフォーム識別子及び命令を取り出す。デジタル装置１０２は、このフォーム識別子及び命令に基づいて、認証サーバ１０８及び入力データから受け取ったフォームを識別することができる。別の例では、デジタル装置１０２が、信用証明書要求応答に含まれるログイン手順情報に基づいて、ネットワークアクセスを取得するための情報を認証サーバ１０８に提供する。認証サーバ１０８に情報を提供する処理は、２００７年９月６日に出願された「ネットワークアクセスを取得するシステム及び方法」という名称の米国特許出願第１１／８９９，６３８号にさらに記載されている。
【００７６】
図７は、ネットワーク信用証明書を提供するための例示的な方法の別のフロー図である。デジタル装置１０２は、ネットワーク装置１０４を介して利用可能な無線ネットワークを検索し、これを発見することができる。ステップ７０２において、デジタル装置１０２は、ホットスポットに接続している間にネットワーク構成情報を受け取ることができる。ネットワーク構成情報は、ネットワーク装置１０４又はＤＮＳサーバ１１０の識別子を含むことができる。１つの例では、デジタル装置１０２が、接続処理中に（ＤＮＳサーバ１１０などの）ＤＮＳサーバのＩＰアドレスを受け取る。
【００７７】
ステップ７０４において、デジタル装置１０２が信用証明書要求を生成する。この信用証明書要求は、シーケンス識別子、ＤＤＩＤ及びＳＳＩＤを含むことができる。ステップ７０６において、デジタル装置１０２が任意にナンスを生成し、暗号鍵を使用して信用証明書要求にデジタル署名する。ステップ７０８において、デジタル装置１０２が、信用証明書要求を標準プロトコルとして送信する。ネットワーク装置１０４は、信用証明書要求を受け取って通信ネットワーク１１４へ転送することができる。様々な実施形態では、ネットワーク装置１０４が、信用証明書要求をＤＮＳサーバ１１０に提供し、このＤＮＳサーバ１１０が、信用証明書要求を信用証明書サーバ１１６へ転送することができる。
【００７８】
例示的な実施形態では、信用証明書サーバ１１６の信用証明書要求モジュール２０４が信用証明書要求を受け取る。信用証明書要求モジュール２０４は、信用証明書サーバ内のＤＤＩＤに関連する暗号鍵を暗号鍵ストレージ２１２から取り出すことができる。その後、信用証明書要求モジュール２０４は、信用証明書要求のデジタル署名を解読して認証を行うことができる。信用証明書要求モジュール２０４は、信用証明書要求からナンス及びシーケンス識別子をさらに取り出すことができる。
【００７９】
その後、信用証明書サーバ１１６の信用証明書要求応答モジュール２０６は、ネットワーク記録ストレージ２１０からＤＤＩＤ及びＳＳＩＤに関連するネットワーク記録を取り出すことができる。信用証明書要求応答モジュール２０６は、ネットワーク記録からネットワーク信用証明書を取り出して信用証明書要求応答を生成する。信用証明書要求応答は、ネットワーク信用証明書及びナンスを含むことができる。暗号化／解読モジュール２０８は、暗号鍵ストレージ２１２から取り出したＤＤＩＤに関連する暗号鍵を使用して、信用証明書要求応答を暗号化することができる。いくつかの実施形態では、信用証明書要求応答が（ＤＮＳなどの）標準プロトコルとしてフォーマットされる。
【００８０】
ステップ７１０において、デジタル装置１０２が信用証明書要求応答を受け取る。その後、ステップ７１２において、デジタル装置１０２が信用証明書要求応答を認証する。１つの例では、デジタル装置１０２が、信用証明書要求にデジタル署名するために使用するものと同じ暗号鍵を使用して信用証明書要求応答を解読する。デジタル装置１０２は、信用証明書要求応答内のナンスをさらに取り出し、このナンスを、信用証明書要求に含めて送信したナンスと比較してさらに認証を行うことができる。信用証明書要求応答が本物であると判明した場合、ステップ７１４において、デジタル装置１０２が、信用証明書要求応答からネットワーク信用証明書を取り出す。
【００８１】
ステップ７１６において、デジタル装置１０２が、ネットワークアクセスに関連する認証要件を識別する。様々な実施形態では、デジタル装置１０２が、認証サーバ１０８に提供するのに適した情報及びネットワーク信用証明書を決定する。１つの例では、デジタル装置１０２が、認証サーバ１０８から１又はそれ以上のネットワークアクセスページを取り出す。デジタル装置１０２は、認証サーバからの正しいネットワークアクセスページにアクセスして自動的に選択を行うことができる。１つの例では、デジタル装置１０２が、選択を自動的に起動する（例えば、ネットワークアクセスページ内のボタンを起動する、ボックスをチェックする、及びラジオボタンを選択する）ことができる。
【００８２】
例えば、信用証明書要求応答モジュール２０６は、ネットワークアクセスページ内の自動選択のための命令をデジタル装置１０２に提供することができる。本明細書で説明したように、ネットワークアクセスページは、認証サーバ１０８から取り出した１又はそれ以上のウェブページ、１又はそれ以上のタグ、又はこれらの両方の組み合わせを含むことができる。１つの例では、デジタル装置１０２内のソフトウェアが、ネットワークアクセスページ内の全ての選択ボックスに自動的にチェックを入れることができる。その後、デジタル装置１０２は、ログイン手順情報に基づいて選択ボックスのチェックを外すことができる。当業者であれば、自動的に選択を行えるようにする方法は数多く存在できることを理解するであろう。他の実施形態では、デジタル装置１０２が、認証サーバ１０８からＸＭＬタグを受け取る。デジタル装置１０２は、ログイン手順情報の中のＸＭＬタグ及び命令に基づく情報を認証サーバ１０８に提供してネットワークアクセスを取得することができる。
【００８３】
ステップ７１８において、デジタル装置１０２が、ネットワーク装置１０４にネットワーク信用証明書を提供して通信ネットワーク１１４へのネットワークアクセスを取得する。１つの例では、信用証明書要求応答モジュール２０６が、認証サーバ１０８から１又はそれ以上のフォームを取り出し、フォームに１又はそれ以上のネットワーク信用証明書を読み込んで、完成したフォームを認証サーバ１０８に提供する。別の例では、信用証明書要求応答モジュール２０６が、必要に応じて認証サーバ１０８にネットワーク信用証明書を提供する。認証サーバ１０８は、ネットワーク信用証明書を受け取ると、デジタル装置１０２と通信ネットワーク１１４の間の通信を可能にすることができる。１つの例では、認証サーバ１０８が、アクセスコントローラ１１２に、デジタル装置１０２の通信ネットワーク１１４へのアクセスを許可するように命令する。
【００８４】
その後、デジタル装置１０２は、ネットワーク接続性をテストしてネットワークアクセスを確認することができる。１つの例では、デジタル装置１０２が、通信ネットワーク１１４を利用できるかどうかを判定するための要求を信用証明書サーバ１１６へ送信する。いくつかの実施形態では、クエリ又はコマンドが、以前に信用証明書要求に含めて提出したシーケンス識別子を含む。ネットワークアクセスが成功した場合、信用証明書サーバ１１６は、この要求を受け取ってシーケンス識別子を取り出すことができる。この結果、信用証明書サーバ１１６は、ネットワークアクセスが成功したことを確認することができる。
【００８５】
図８は、ネットワーク信用証明書を受け取って記憶するための例示的な方法のフロー図である。様々な実施形態では、ユーザが、ネットワーク記録を作成して信用証明書サーバ１１６に記憶することができる。例えば、信用証明書サーバ１１６は、ユーザがネットワーク記録を作成、記憶、更新、削除、及び修正できるようにするグラフィカルユーザインターフェイス（ＧＵＩ）を提供する信用証明書記憶モジュール（図示せず）を含むことができる。
【００８６】
ステップ８０２において、信用証明書サーバ１１６が、ユーザにネットワーク信用証明書要求フォームを提供する。１つの例では、信用証明書サーバ１１６が、ネットワーク信用証明書要求フォームを、インターネットを介して１又はそれ以上のウェブページとしてユーザに提供する。ネットワーク信用証明書要求フォームは、（運営会社名などの）サービスプロバイダ名及び／又はＳＳＩＤ及びネットワーク信用証明書を受け取るように構成される。
【００８７】
サービスプロバイダ名は、ホットスポット、ホットスポットに関する１又はそれ以上の構成要素（例えばネットワーク装置１０４）、又はローカルエリアネットワーク１０６のインフラを運営するエンティティ名を含むことができる。いくつかの実施形態では、サービスプロバイダ名が、別のサービスプロバイダの１又はそれ以上のホットスポットを管理する組織名を含む。１つの例では、たとえホットスポットに異なるサービスプロバイダが存在していても、コーヒーショップ及び書店は、両方とも第三の管理者を使用してホットスポットを管理することができる。いくつかの実施形態では、ネットワーク信用証明書要求フォームを、第三の管理者名を受け取るように構成することができる。いくつかの実施形態では、サービスプロバイダ名が、ホットスポットネットワークへのアクセスを再販する組織（アグリゲータなど）の名前を含む。
【００８８】
ネットワーク信用証明書要求フォームは、ネットワークサービス選択としてＳＳＩＤを受け取ることもできる。１つの例では、ネットワーク信用証明書要求フォームが、異なるサービスプロバイダのプルダウンメニュー及び／又はユーザが選択できるホットスポットを含む。例えば、ユーザは、ホットスポットとして「スターバックス」又は「サンフランシスコ国際空港」を選択することができる。ユーザには、ホットスポットの地理的位置などに対するさらなる選択肢を与えることができる。ユーザは、サービスプロバイダを選択することもできる。例えば、ユーザは、サービスプロバイダとして「Ｔ−Ｍｏｂｉｌｅ」を選択することができる。この結果、ネットワーク信用証明書要求フォームは、ユーザがＴ−ｍｏｂｉｌｅに関連する１又はそれ以上の様々なホットスポットの中から選択を行えるようにすることができる。その後、これらの（単複の）選択をネットワーク記録として記憶することができる。或いは、（単複の）選択に関連するネットワークサービス識別子がＳＳＩＤとして生成される。
【００８９】
さらに、ネットワーク信用証明書要求フォームは、ユーザからネットワーク信用証明書を受け取ることができる。例えば、ユーザは、ネットワーク信用証明書要求フォームの中に、ネットワーク信用証明書としてユーザ名、パスワード、パスコードを入力することができる。いくつかの実施形態では、ネットワーク信用証明書要求フォームが、ＳＳＩＤを受け取った後で、必要なネットワーク信用証明書の種類を決定する。例えば、ネットワーク信用証明書要求フォームは、ユーザが先程選択したサンフランシスコ国際空港のホットスポットにおいてネットワークにアクセスするために必要な情報を識別する。その後、ネットワーク信用証明書要求フォームは、ユーザがこのホットスポットにおいてネットワークアクセスを取得するために必要な（ユーザ名、パスワードなどの）情報のみを入力できるようにするフィールド又は選択肢を生成する。
【００９０】
信用証明書サーバ１１６はまた、ネットワーク信用証明書要求フォームを受け取る前に登録を行うことをユーザに求めることもできる。登録中、ユーザは、サービス条件に同意して顧客情報を入力する必要がある。顧客情報は、信用証明書サーバ１１６にアクセスしてネットワーク信用証明書を記憶するためのユーザ名及びパスワードを含む。任意に、顧客情報は、ユーザの住所、連絡先情報、及び信用証明書サーバ１１６により提供されるサービスをユーザが使用するための支払い選択肢を含むことができる。
【００９１】
ステップ８０４において、信用証明書サーバ１１６が、ネットワーク信用証明書要求フォームを介して顧客情報及びネットワークサービスの選択を受け取る。ステップ８０６において、信用証明書サーバが、ネットワーク信用証明書を取り出すことができる。ステップ８０８において、信用証明書サーバ１１６が顧客情報を受け取る。ステップ８１０において、信用証明書サーバ１１６が、ネットワーク信用証明書を顧客情報、ネットワークサービスの選択、及び（単複の）ネットワーク信用証明書と関連付けてネットワーク記録を作成する。その後、ステップ８１２において、ネットワーク記録が記憶される。
【００９２】
いくつかの実施形態では、ユーザが、インターネットを介して信用証明書サーバ１１６に手動でアクセスすることができる。他の実施形態では、ユーザが、ネットワーク信用証明書ソフトウェアをダウンロードしてデジタル装置１０２上にインストールすることができる。このネットワーク信用証明書ソフトウェアは、デジタル装置１０２のＤＤＩＤを識別して信用証明書サーバ１１６へ送ることができる。他の実施形態では、デジタル装置１０２上にネットワーク信用証明書ソフトウェアをプリインストールすることができる。デジタル装置１０２がネットワーク信用証明書ソフトウェアを最初に起動する際に、ネットワーク信用証明書ソフトウェアが、デジタル装置１０２のＤＤＩＤ識別して信用証明書サーバへ送ることができる。
【００９３】
ユーザは、ネットワーク信用証明書ソフトウェアにＳＳＩＤを入力する（例えば、サービスプロバイダ又はホットスポットを識別する）ことができる。ユーザは、ネットワーク信用証明書ソフトウェアにネットワーク信用証明書を入力することもできる。ネットワーク信用証明書ソフトウェアは、ＤＤＩＤ、ＳＳＩＤ及びネットワーク信用証明書を取得した後で、この情報を信用証明書サーバ１１６にアップロードし、信用証明書サーバ１１６は、この情報をネットワーク記録に記憶することができる。様々な実施形態では、ネットワーク信用証明書ソフトウェアを信用証明書サーバ１１６からダウンロードすることができる。
【００９４】
図９は、例示的なデジタル装置のブロック図である。信用証明書サーバ１１６は、プロセッサ９００、メモリシステム９０２、記憶システム９０４、入出力インターフェイス９０６、通信ネットワークインターフェイス９０８、及びディスプレイインターフェイス９１０を含む。プロセッサ９００は、（プログラムなどの）実行可能命令を実行するように構成される。いくつかの実施形態では、プロセッサ９００が、実行可能命令を処理できる回路又はいずれかのプロセッサを含む。
【００９５】
メモリシステム９０２は、データを記憶するように構成されたいずれかのメモリである。メモリシステム９０２のいくつかの例として、ＲＡＭ又はＲＯＭなどの記憶装置がある。メモリシステム９０２は、ラムキャッシュを含むことができる。様々な実施形態では、メモリシステム９０２にデータが記憶される。メモリシステム９０２内のデータは、クリア又は最終的に記憶システム９０４に伝送することができる。
【００９６】
記憶システム９０４は、データを取り出して記憶するように構成されたいずれかのストレージである。記憶システム９０４のいくつかの例として、フラッシュドライブ、ハードドライブ、光ドライブ及び／又は磁気テープがある。いくつかの実施形態では、信用証明書サーバ１１６が、ＲＡＭの形のメモリシステム９０２及びフラッシュデータの形の記憶システム９０４を含む。メモリシステム９０２及び記憶システム９０４はいずれも、プロセッサ９００などのコンピュータプロセッサにより実行可能な命令又はプログラムを記憶できるコンピュータ可読媒体を含む。
【００９７】
いずれかの入出力（Ｉ／Ｏ）インターフェイス９０６は、ユーザから入力を受け取ってデータを出力するいずれかの装置である。いずれかのディスプレイインターフェイス９１０は、グラフィクス及びデータをディスプレイに出力するように構成されたいずれかの装置である。１つの例では、ディスプレイインターフェイス９１０がグラフィックアダプタである。全てのデジタル装置１０２が、入出力インターフェイス９０６又はディスプレイインターフェイス９１０を含むとは限らないと理解されたい。
【００９８】
通信ネットワークインターフェイス（ｃｏｍ．  ｎｅｔｗｏｒｋ  ｉｎｔｅｒｆａｃｅ）９０８は、リンク９１２を介して（ローカルエリアネットワーク１０６及び通信ネットワーク１１４などの）ネットワークに結合することができる。通信ネットワークインターフェイス９０８は、例えば、イーサネット（登録商標）接続、シリアル接続、パラレル接続又はＡＴＡ接続を介して通信をサポートすることができる。通信ネットワークインターフェイス９０８は、（８０２．１１／ｂ／ｇ／ｎ、ＷｉＭａｘなどの）無線通信をサポートすることもできる。当業者には、通信ネットワークインターフェイス９０８が多くの有線及び無線標準をサポートできることが明らかであろう。
【００９９】
様々な実施形態では、満足のいくサービス品質を実現するために、デジタル装置が様々なルールに基づいて複数の利用可能な無線ネットワークから利用可能な無線ネットワークを自動的に選択してアクセスできるようにするシステム及び方法について説明する。このようなルールを、デジタル装置自体の中で、デジタル装置と通信しているサーバ上で、又はこれらの両方の組み合わせで実施することができる。様々な実施形態では、無線ネットワークは、デジタル装置とインターネットなどの通信ネットワークとの間の無線アクセスを可能にするネットワークである。
【０１００】
いくつかの実施形態によれば、（Ｗｉ−Ｆｉ通信が可能なデジタル装置などの）無線デジタル装置のユーザが、ウェブサーバ上にアカウントを作成し、このアカウントを使用して１又はそれ以上の（コンピュータ、ラップトップ、携帯情報端末及び携帯電話などの）デジタル装置を登録する。登録されたデジタル装置を管理して、ＨＴＴＰなどのネットワーク通信メカニズムを介して（プロファイルサーバ又は信用証明書サーバなどの）中央サーバによりネットワーク記録が提供されるようにすることができる。
【０１０１】
図１０は、本発明の実施形態を実施できる別の環境を示す図である。様々な実施形態では、デジタル装置１００２を有するユーザが、ネットワーク装置１００４及び１００６の近くに存在する領域に入る。１つの例では、ネットワーク装置１００４及び１００６が別個のアクセスポイントであり、これらの各々を使用して、デジタル装置１００２と通信ネットワーク１００８の間の通信を確立することができる。
【０１０２】
デジタル装置１００２は、デジタル装置１００２を取り巻く領域を走査し、２つのネットワーク装置１００４及び１００６を検出し、デジタル装置１００２が通信を確立できる利用可能な無線ネットワークのリストを生成することができる。いくつかの実施形態では、利用可能な無線ネットワークのリストが、ネットワーク装置１００４及び１００６のＤＤＩＤ識別子、ＳＳＩＤ識別子及び／又はＢＢＳＩＤ識別子を含む。
【０１０３】
その後、デジタル装置１００２は、この利用可能な無線ネットワークのリストをルールサーバ１０１０に提供する。１つの例では、デジタル装置１００２が、利用可能な無線ネットワークのリストを、ネットワーク装置１００４又はネットワーク装置１００６のオープンポートに対する標準プロトコルとして通信ネットワーク１００８に提供し、最終的にはルールサーバ１０１０に提供する。別の例では、デジタル装置１００２が、図示していないセルラ通信ネットワークなどの別のネットワークを介して（ＣＤＭＡ、ＧＳＭ、３Ｇ、又はＥＶＤＯなどを介して）利用できる無線ネットワーク、又は（Ｗｉ−Ｆｉ、Ｗｉｍａｘ又はＬＴＥネットワークなどの）その他の無線ネットワークをのリストを提供する。
【０１０４】
ルールサーバ１０１０は、利用可能な無線ネットワークのリストを受け取り、リスト内で識別された個々の無線ネットワークのネットワークプロファイルを取り出すことができる。ネットワークプロファイルとは、無線ネットワークに関連するとともに、この関連するネットワークにより提供される性能及び／又はサービス品質に関する属性を含む記録のことである。１つの例では、ルールサーバ１０１０が、リスト内の個々のネットワークを識別して個々のネットワークのＳＳＩＤ及び／又はＢＢＳＩＤをプロファイルサーバ１０１４に提供する。その後、プロファイルサーバ１０１４は、個々のネットワークの（ＳＳＩＤ及び／又はＢＢＳＩＤに基づく）ネットワークプロファイルをルールサーバ１０１０に提供することができる。いくつかの実施形態では、プロファイルサーバ１０１４が、データベース又は（ネットワークデータベースサーバ１０１２などの）その他のサーバからネットワークプロファイルを取り出す。
【０１０５】
ルールサーバ１０１０は、ネットワークプロファイル内の属性、及び／又はデジタル装置１００２から受け取ったあらゆる属性に基づいて、利用可能な無線ネットワークのリストから好ましい無線ネットワークを選択することができる。属性とは、無線ネットワークの特性のことである。様々な実施形態では、属性が、性能測定基準、共有インジケータ、又はサービス識別子を含む。無線ネットワークの性能測定基準とは、ネットワーク性能のいずれかの尺度のことである。いくつかの例では、性能測定基準が、待ち時間測定基準、帯域幅測定基準、又はサービス品質（ＱＯＳ）測定基準を含むことができる。当業者であれば、性能測定基準が、無線ネットワークの性能を表すあらゆる種類の測定基準を含むことができると理解するであろう。
【０１０６】
待ち時間測定基準とは、ネットワーク上でデジタル装置からサーバへデータパケットを送信するための時間を表す尺度のことである。いくつかの実施形態では、デジタル装置１００２がサーバへＩＣＭＰ「エコー要求」パケットを送信し、ＩＣＭＰ「エコー反応」応答に耳を傾けることができる。待ち時間測定基準は、往復時間（一般的にはミリ秒単位）の推定値を含み、及び／又はいずれかのパケット損失を含むことができる。別の例では、待ち時間測定基準が、推定される往復時間の半分である。
【０１０７】
帯域幅測定基準とは、無線ネットワークの利用可能な帯域幅の尺度のことである。１つの例では、デジタル装置が、無線ネットワークを介してサーバへデータブロックを送信して応答のタイミングを計ることにより、利用可能な帯域幅をテストすることができる。
【０１０８】
ＱＯＳ測定基準は、無線ネットワーク、アクセス装置１００４、アクセス装置１００６、及び／又は通信ネットワーク１００８のサービス品質を測定するいずれかの尺度である。１つの例では、ＱＯＳ測定基準が、ＩＰアドレスを得るために必要な時間の長さを計ることにより判定されるＤＨＣＰの信頼度を表す。ＤＨＣＰの信頼度は、統計的測定、ＩＰアドレスを多少なりとも受け取る確率、及び／又は時間の配分を含むことができる。
【０１０９】
共有インジケータは、無線ネットワークが共有されているかどうかを示す。いくつかの実施形態では、共有インジケータを、「共有」、「非共有」、「不明」を含む３つの状態のうちの１つとすることができる。共有インジケータは、（「非共有」などの）１つの状態しか含むことができないが、当業者であれば、共有インジケータがあらゆる数の状態を有することができると理解するであろう。ネットワークが「共有」されていることを示す共有インジケータを含む無線ネットワークは、無線ネットワークの所有者が、他の誰かがネットワークの使用を意図していることを示すことができる。「共有」ネットワークの一例として、他の誰かが使用するために意図的に「オープン」になっている（例えば、暗号化されていない）無線ネットワークを挙げることができる。
【０１１０】
ネットワークが「非共有」であることを示す共有インジケータを含む無線ネットワークは、無線ネットワークの所有者が、ネットワークにアクセスするための明確な許可を持たない者を望まないことを示すことができる。１つの例では、非共有の無線ネットワークは、無許可のユーザに対してアクセスを制限するために（ＷＥＰ又はＷＰＡなどを介して）意図的に暗号化されていることが多い。しかしながら、全ての「非共有」のネットワークが暗号化されているとは限らない。例えば、たとえネットワークが共有を意図されていなくても、ネットワークの所有者がネットワーク装置を誤って設定したり、或いはエラーを通じてネットワークがオープン（すなわち非暗号化に）になったりする可能性がある。
【０１１１】
ネットワークが「不明」であることを示す共有インジケータを含む無線ネットワークは、無線ネットワークが「共有」又は「非共有」のいずれの可能性もあることを示すことができる。例えば、オープンネットワークの所有者の意図が不明な場合がある。
【０１１２】
サービス識別子は、無線ネットワークがサポートする１又はそれ以上のサービスを識別することができる。１つの例では、１又はそれ以上のサービス識別子が、無線ネットワークがＶｏＩＰ、テレビ会議及び／又はビデオ会議をサポートしていることを示す。サービス識別子は、無線ネットワークがサポートするあらゆる種類のサービスを識別することができる。いくつかの実施形態では、サービス識別子が、無線ネットワークがサポートしていないサービスを識別することができる。
【０１１３】
当業者であれば、ネットワークプロファイルがあらゆる数の属性を含むことができると理解するであろう。さらに、当業者であれば、ネットワークプロファイルが１つのみ又はそれ以上の性能測定基準、１つのみの共有インジケータ又は１つのみ又はそれ以上のサービス識別子を含むことができることを理解するであろう。
【０１１４】
様々な実施形態では、ルールサーバ１０１０が、属性分析に基づいて、利用可能な無線ネットワークのリストから１又はそれ以上の無線ネットワークを選択する。１つの例では、ルールサーバ１０１０が属性に様々なルールを適用する。これらのルールとして、最低要件、個別設定、及び属性比較を挙げることができる。１つの例では、ルールサーバ１０１０により適用されるルールが、１又はそれ以上の無線ネットワークの属性を１又はそれ以上の最低要件と比較することができる。無線ネットワークの属性が最低要件を下回る場合、この無線ネットワークを選択することができず、又は利用可能な無線ネットワークのリストから削除することができる。
【０１１５】
いくつかの実施形態では、ルールサーバ１０１０により適用されるルールが、ユーザによる個別設定に基づくことができる。例えば、デジタル装置１００２のユーザは、デジタル装置１００２を、「共有」と指定された無線ネットワークを介してのみ接続すべきであることを示す個別設定を示すことができる。この例では、ルールサーバ１０１０は、無線ネットワークを「共有」であると識別する共有インジケータを含む属性の無線ネットワークのみを選択することができる。
【０１１６】
様々な実施形態では、ルールサーバ１０１０により適用されるルールが、１つの無線ネットワークの属性と別のネットワークの属性との比較に基づくことができる。１つの例では、属性が、１つの無線ネットワークが別の無線ネットワークよりも帯域幅が大きく、待ち時間が短いことを示すことができる。この例では、ルールサーバ１０１０は、別の無線ネットワークとの比較においてより性能が良く、又はサービスの価値が高い１つの無線ネットワークを選択することができる。当業者であれば、利用可能な無線ネットワークのリストから無線ネットワークを選択する際に、選択又は支援のために使用するルールにはあらゆる種類があり得ることを理解するであろう。
【０１１７】
無線ネットワーク選択を行う際には、ルールサーバ１０１０が２以上のルールを適用することができる。１つの例では、ルールサーバ１０１０が、異なる無線ネットワークからの属性を比較して選択を行う前に、ユーザの個別設定を適用することができる。別の例では、ルールサーバ１０１０が、属性を比較する前に、属性に最低要件を適用することができる。
【０１１８】
ルールサーバ１０１０は、ネットワークプロファイルからの属性の比較に基づいて無線ネットワークを選択したら、この無線ネットワーク選択をデジタル装置１００２に提供することができる。無線ネットワーク選択は、少なくとも１つの無線ネットワークを識別する（ネットワーク識別子などの）１又はそれ以上の識別子を含む。この無線ネットワーク選択は、単一の無線ネットワークを識別すること、又は優先度順にソートされた無線ネットワークのソート済みリストを含むことができる。
【０１１９】
いくつかの実施形態では、ルールサーバ１０１０が、無線ネットワーク選択に加え、選択された無線ネットワークの（信用証明書要求応答などの）信用証明書もデジタル装置１００２に提供する。１つの例では、ルールサーバ１０１０が、選択された無線ネットワークを信用証明書サーバ１０１６に提供し、次にこの信用証明書サーバ１０１６が、（たとえ信用証明書要求が行われなかったとしても）選択された無線ネットワークの信用証明書要求応答をデジタル装置１００２に提供する。他の実施形態では、デジタル装置１００２が無線ネットワーク選択を受け取り、その後、本明細書で説明したように、信用証明書サーバ１０１６に信用証明書要求を送信するステップに進んで信用証明書を受け取る。
【０１２０】
さらに、様々な実施形態では、デジタル装置１００２が、選択された無線ネットワークに基づいて接続を確立しようと試みる。接続が失敗した場合、デジタル装置１００２は、本明細書で説明したように、信用証明書要求を信用証明書サーバ１０１６へ送信して、ネットワークアクセスのための信用証明書を取り出すことができる。デジタル装置１００２は、ネットワーク装置１００４のオープンポートを介して信用証明書サーバ１０１６に信用証明書要求を提供することができる。別の例では、デジタル装置１００２が、異なるネットワーク装置との接続を含む他のいずれかのネットワークを介して、又は携帯電話接続を介して信用証明書要求を提供することができる。
【０１２１】
図１０では、ルールサーバ１０１０、ネットワークデータベースサーバ１０１２、プロファイルサーバ１０１４、信用証明書サーバ１０１６及びウェブサーバ１０１８を別個のサーバとして示しているが、これらのサーバは全て、１又はそれ以上のサーバとして組み合わせることができる。同様に、サーバのいずれかの機能を、図示している他のサーバの１つ又はその他のいずれかのサーバが実行することもできる。
【０１２２】
図１０には、複数の利用可能な無線ネットワークから無線ネットワーク選択を行うための複数のサーバ（ルールサーバ、ネットワークデータベースサーバ、プロファイルサーバ、信用証明書サーバ、及びウェブサーバなど）を示しているが、当業者であれば、無線ネットワーク選択をデジタル装置１００２内で行うこともできると理解するであろう。１つの例では、デジタル装置１００２が、利用可能な無線ネットワークを一覧にした走査結果を取り出して、設定優先度に基づいて無線ネットワークを選択する。この設定優先度は、１又はそれ以上のローカルに実行されるルール、好ましい信号強度、又はその他のいずれか１つの又は複数の属性に基づくことができる。別の例では、デジタル装置１００２が、（ＶｏＩＰなどの）所望のサービスをサポートし、最小待ち時間標準を満たし、最小ＱＯＳ標準を満たす無線ネットワークを選択する。別の例では、プロファイルサーバ１０１４が、所望のネットワークプロファイルをデジタル装置１００２に提供し、このデジタル装置１００２が分析を行って好ましい無線ネットワークを決定する。
【０１２３】
図１１は、無線ネットワーク選択を提供する例示的な処理のフロー図である。ステップ１１０２において、（ルールサーバ１０１０、ネットワークデータベースサーバ１０１２、プロファイルサーバ１０１４、信用証明書サーバ１０１６又はウェブサーバ１０１８などの）サーバが、デジタル装置１００２から利用可能な無線ネットワークのリストを受け取る。いくつかの例では、このリストは、（ネットワーク装置１００４及びネットワーク装置１００６などの）１又はそれ以上のネットワーク装置のＳＳＩＤ又はＢＢＳＩＤを含む。リストは、ネットワーク及び／又はネットワーク装置を識別するあらゆる情報を含むことができる。
【０１２４】
いくつかの実施形態では、サーバが、ネットワーク及び／又はネットワーク装置に関連する１又はそれ以上の属性も受け取る。様々な実施形態では、デジタル装置１００２が、信号強度を測定し、利用可能なサービスを判別し、又は利用可能な無線ネットワークのリスト上で識別される１又はそれ以上のネットワーク及び／又はネットワーク装置の性能測定基準を取り上げる。
【０１２５】
ステップ１１０４において、サーバが、ネットワークデータベースに記憶された複数のネットワークプロファイルから、利用可能な無線ネットワークのリスト上の個々の利用可能な無線ネットワークのネットワークプロファイルを取り出す。個々のネットワークプロファイルは、少なくとも１つの属性を含むことができる。いくつかの実施形態では、リスト上の全ての無線ネットワークがネットワークプロファイルを有するとは限らない。リスト上の無線ネットワークのネットワークプロファイルが見つからない場合、この無線ネットワークに関連するネットワークプロファイルを作成することができる。デジタル装置１００２から属性を受け取った場合、サーバは、デジタル装置１００２から受け取ったいずれの属性がいずれのネットワーク、ネットワーク装置及び／又はネットワークプロファイルに関連するかを判定することができる。
【０１２６】
ステップ１１０６において、サーバが、個々のネットワークプロファイルからの属性を最低要件と比較する。１つの例では、サーバが、（利用可能な場合）リスト内の全てのネットワークプロファイルからの待ち時間測定基準を最小待ち時間測定基準と比較する。サーバは、デジタル装置１００２から受け取った属性を最低要件と比較することもできる。ステップ１１０８において、サーバが、（単複の）比較に基づいて、利用可能な無線ネットワーク及び／又は無線ネットワークプロファイルのリストから１又はそれ以上の無線ネットワークを削除する。例えば、待ち時間測定基準が最小待ち時間測定基準を下回る無線ネットワークは選択しなくてもよい。他の実施形態では、待ち時間測定基準が最小待ち時間測定基準を下回る無線ネットワークが重み値を受け取り、これを他の無線ネットワークと比較して選択処理を支援することができる。
【０１２７】
いくつかの実施形態では、デジタル装置１０１０のユーザが最低要件を決定する。他の実施形態では、（管理者などが）ユーザのために最低要件を選択することができる。
【０１２８】
ステップ１１１０において、サーバがユーザのための個別設定を取り出す。ユーザは、この個別設定をサーバへ送ることができる。いくつかの実施形態では、ユーザが、個別設定を含むウェブサーバ１０１８とのアカウントを有する。１つの例では、サーバが、利用可能な無線ネットワークのリストとともにユーザ識別子を受け取る。次に、サーバは、ユーザのアカウントにアクセスして個別設定を受け取り、その後、この個別設定が、リスト上の無線ネットワークに関連するネットワークプロファイルの属性に適用される。様々な実施形態では、ユーザが（「攻撃性」などの）個別設定を設定することができ、デジタル装置１００２は、この設定で無線ネットワークに接続することができる。このような設定は以下を含むことができる。
（ａ）  共有インジケータに関係なくオープンなものに接続する。
（ｂ）  所有者が混乱してアクセスポイントを単純にオープンのままにしてセキュリティ機能の設定方法を知らないと思われる旨を（「ｌｉｎｋｓｙｓ」などの）デフォルトのメーカＳＳＩＤが示すもの以外はオープンなものに接続する。
（ｃ）  プロファイルサーバ１０８が認めた（又はＷｉ−Ｆｉネットワークに関する情報を既に記憶している）オープンなものに接続する。或いは、
（ｄ）  「共有」という共有インジケータを含み、又は他の何らかの手段により共有と示されるオープンなものに接続する。当業者であれば、個別設定が数多く存在できることを理解するであろう。
【０１２９】
ステップ１１１２において、サーバが、個別設定に基づいてリスト又はネットワークプロファイルから１又はそれ以上の無線ネットワークを削除する。例えば、個別設定は、ビデオ会議をサポートし、ユーザが定義したＱｏＳ要件を保持する無線ネットワークへの接続のみをユーザが望んでいることを示すことができる。その後、サーバは、ネットワークプロファイルから得られた、又はユーザの個別設定を満たさないデジタル装置１００２から最近受け取った属性に基づいて、利用可能な無線ネットワークのリストからいずれかの無線ネットワークを削除することができる。
【０１３０】
いくつかの実施形態では、その後、ネットワークプロファイルから得られた属性の比較前、又は比較後に個別設定を考慮することができる。１つの例では、個別設定が、「共有」と指定されていない、又は特定のサービスを提供していない無線ネットワークへの接続をユーザが望まないことを示す。１つの例では、ルールサーバ１０１０が、必要なサービスを提供しないネットワークに関連するネットワークプロファイルを取り出さず、及び／又はこれらのネットワークに関連する属性を比較しない。他の実施形態では、デジタル装置１００２が、ルールサーバ１０１０から受け取った結果（無線ネットワーク選択など）に個別設定を適用した後で好ましい無線ネットワークにアクセスする。
【０１３１】
ステップ１１１４において、サーバが、リスト上の残りの無線ネットワークの属性を比較する。様々な実施形態では、サーバが重みを適用して、ネットワークプロファイル内から得られた（測定基準などの）属性の１又はそれ以上を標準化する。いくつかの実施形態では、古い属性を削除し、又はより新しい他の属性よりも低く重み付けすることができる。１つの例では、１週間よりも以前のあらゆる測定基準に同様のより新しい測定基準よりも低い重みを付けることができる。別の例では、１ヵ月よりも以前の測定基準をネットワークプロファイルから削除し、又は比較において検討対象外とすることができる。当業者であれば、ネットワークプロファイル内から得られる全ての属性又は情報を比較において考慮できるわけではないことを理解するであろう。
【０１３２】
個々のネットワークプロファイルは、あらゆる数の属性を含むことができる。１つの例では、ルールサーバ１０１０が、２つの異なるネットワークプロファイルからの測定基準の比較に基づいて無線ネットワーク選択を行う。いくつかの実施形態では、ルールサーバ１０１０が、２つの類似する測定基準間の比較に基づいて無線ネットワークを選択する（すなわち、第１のネットワークプロファイルからの待ち時間測定基準が、第２のネットワークプロファイルからの待ち時間測定基準と比較される）。当業者であれば、ルールサーバ１０１０が、２つの類似する最近受け取った測定基準間の比較又はネットワークプロファイル内の最近受け取った測定基準及び別の測定基準に基づいて無線ネットワークを選択できることを理解するであろう。
【０１３３】
他の実施形態では、ルールサーバ１０１０が、２つの異なる測定基準間の比較に基づいて無線ネットワークを選択する（すなわち、第１のネットワークプロファイルからの待ち時間測定基準が、第２のネットワークプロファイルからの帯域幅測定基準と比較される）。ルールサーバ１０１０は、適当な無線ネットワークを選択するための比較を行うために、類似する及び／又は異なる測定基準又は属性に重み付けして標準化するアルゴリズムを実行することができる。１つの例では、ルールサーバ１０１０が、第１のネットワークプロファイル内の待ち時間測定基準を第２のネットワークプロファイル内の帯域幅測定基準と比較する。ルールサーバ１０１０は、測定基準に重み付けして標準化するアルゴリズムを実行することができる。待ち時間の方がネットワーク性能に及ぼす影響が大きいと考えられるので、このアルゴリズムは、待ち時間測定基準に帯域幅測定基準よりも大きく重み付けすることができる。
【０１３４】
属性又は測定基準は、あらゆる数の要素に依存して異なる重みを受け取ることができる。例えば、待ち時間測定基準は、この測定基準が許容範囲内にあるときには所定の重みを受け取ることができ、そうでない場合には、大幅に下回る重みとなり得る。デジタル装置１００２から最近受け取った測定基準は、ネットワークプロファイル内の類似する種類の測定基準よりも大きな重みを受け取ることができる。当業者であれば、類似する及び／又は異なる性能及び／又は質的な測定基準を比較するための方法は数多く存在することを理解するであろう。
【０１３５】
ステップ１１１６において、サーバが、属性の比較に基づいて無線ネットワークを選択する。無線ネットワーク選択は、単一の好ましい無線ネットワーク、又は優先度順にソートされた無線ネットワークのリストを含むことができる。１つの例では、ルールサーバ１０１０が、最も好ましいネットワーク、２番目に好ましいネットワークなどを識別する。その後、ステップ１１１８において、ルールサーバ１０１０は、無線ネットワーク選択をデジタル装置１００２へ送信することができる。
【０１３６】
様々な実施形態では、ルールサーバ１０１０が、デジタル装置１００２から最近受け取った測定基準のみを比較する。１つの例では、デジタル装置１００２から２つの待ち時間測定基準が受け取られる。個々の待ち時間測定基準は、利用可能なネットワークのリスト上で識別された別個の無線ネットワークに関連する。この例では、ルールサーバ１０１０が、２つの属性の比較に基づいて無線ネットワークを選択することができる。
【０１３７】
図１２は、無線ネットワークを選択するための例示的な処理のフロー図である。１２０２ステップにおいて、デジタル装置１００２が、２つの無線ネットワークを含む領域内に入り、デジタル装置１００２が、アクセスするネットワークを求めて走査する。ステップ１２０４において、デジタル装置１００２が、第１及び第２の利用可能な無線ネットワークのネットワーク識別子を受け取る。本明細書で説明したように、第１及び第２のネットワーク識別子は、ＢＢＳＩＤ、ＳＳＩＤ、又はその他のいずれかのネットワーク識別子を含むことができる。例えば、第１のネットワーク識別子はＢＢＳＩＤを含むことができ、第２のネットワーク識別子はＳＳＩＤ識別子を含むことができる。別の例では、第１のネットワークが、ＢＢＳＩＤ及びＳＳＩＤを含む複数の識別子を提供できるのに対し、第２のネットワークはＳＳＩＤのみを提供する。この例では、第１のネットワーク識別子が、第１のネットワーク装置のＢＢＳＩＤ及びＳＳＩＤの両方を含むことができるのに対し、第２のネットワーク識別子は、第２のネットワーク装置のＳＳＩＤしか含まない。
【０１３８】
ステップ１２０６において、デジタル装置１００２が、利用可能な無線ネットワークのリストを生成する。例えば、デジタル装置１００２は、第１のネットワーク識別子及び第２のネットワーク識別子を含むリストを生成することができる。その後、ステップ１２０８において、リストがサーバに提供される。
【０１３９】
ステップ１２１０において、デジタル装置１００２が、無線ネットワーク選択をサーバから受け取る。無線ネットワーク選択は、選択された無線ネットワークを識別し、又は選択された無線ネットワークに関連するネットワーク装置を識別する識別子（ネットワーク装置のＢＢＳＩＤ及び／又はＳＳＩＤなど）を含むことができる。様々な実施形態では、無線ネットワーク選択が、優先度によってソートされた無線ネットワークのリストを含むことができる。リストは、選択された無線ネットワーク又はネットワーク装置を識別する２又はそれ以上の識別子を含むことができる。
【０１４０】
ステップ１２１２において、デジタル装置１００２が、無線ネットワーク選択のための信用証明書をサーバから受け取る。いくつかの実施形態では、信用証明書が、利用可能な無線ネットワークのリストをデジタル装置１００２から受け取ったサーバと同じサーバから受け取られる。
【０１４１】
様々な実施形態では、デジタル装置１００２が無線ネットワーク選択をサーバから受け取り、その後信用証明書要求を提供して所望のネットワークの信用証明書を受け取る。１つの例では、デジタル装置１００２が、利用可能な無線ネットワークのリストを提供する方法と同じ方法で（例えば、ネットワークのオープンポートを介して）信用証明書要求を提供する。いくつかの実施形態では、好ましいネットワークが信用証明書を必要とせず、又は信用証明書がデジタル装置１００２上にローカルに記憶される。
【０１４２】
ステップ１２１４において、デジタル装置１００２が信用証明書を使用して、選択された無線ネットワークにアクセスする。本明細書では、ログインページなどに信用証明書を適用する処理について説明する。
【０１４３】
様々な実施形態では、デジタル装置１００２が、本明細書で説明する信用証明書要求の提供と同様の方法で、利用可能な無線ネットワークのリストをネットワーク装置のオープンポートを介してサーバに提供することができる。他の実施形態では、デジタル装置１００２が、別のネットワークを介してサーバにリストを提供することができる。１つの例では、デジタル装置１００２が、利用可能なＷｉ−Ｆｉネットワークのリストを生成し、（ＥＶＤＯ又はＨＳＤＰＡネットワークなどの）携帯電話ネットワークを介してリストを提供する。この例では、無線ネットワーク選択を携帯電話ネットワークを介してデジタル装置へ戻し、その後デジタル装置１００２が、好ましいＷｉ−Ｆｉネットワークにアクセスしようと試みることができる。
【０１４４】
別の例では、デジタル装置１００２が１つの無線ネットワークにアクセスする。その後、デジタル装置１００２は、利用可能な無線ネットワークのリストをサーバに提供することができる。サーバは、無線ネットワーク選択をデジタル装置１００２へ戻すことができる。この好ましい無線ネットワークが、デジタル装置１００２が最初にアクセスしたネットワークでない場合、デジタル装置１００２は、接続を中断して好ましい無線ネットワークにアクセスすることができる。
【０１４５】
図１０〜図１２は、利用可能な無線ネットワークのリストを受け取り、無線ネットワーク選択を決定し、この選択をデジタル装置１００２に提供するサーバを想定したものであるが、当業者であれば、サーバが必須ではないことを理解するであろう。１つの例では、デジタル装置１００２が、利用可能な無線ネットワークのリストを生成し、その後（例えば、ローカルに記憶されたネットワークプロファイルから、１又はそれ以上のネットワーク装置から、ローカルデータベース又は遠隔データベースから、及び／又はインターネットなどの別のネットワークから情報を取り出して）、リスト上のネットワークに関するいずれかの利用可能な情報を取り出す。次に、デジタル装置１００２は、選択を行うために、又は優先順位リストを生成するために、ネットワークに関連するどのような属性が利用可能であるかに基づいて比較を行うことができる。その後、デジタル装置１００２は、選択した無線ネットワークにアクセスすることができる。
【０１４６】
様々な実施形態では、デジタル装置１００２が、１又はそれ以上のネットワークに関する属性を生成して提供し、ネットワークプロファイルを更新することができる。１つの例では、デジタル装置１００２が、信号の品質、帯域幅、又はその他のあらゆる測定基準を判定して、利用可能な無線ネットワークのリストとともにこれらの測定基準をサーバに提供する。別の例では、デジタル装置１００２が、選択した無線ネットワークにアクセスし、属性を測定し、ネットワークプロファイル内に属性更新測定基準を提供する。デジタル装置１００２は、いつでも（待ち時間測定基準、帯域幅測定基準及びＱＯＳ測定基準などの）属性を取り込み、これらを使用してネットワークプロファイルを更新することができる。
【０１４７】
図１３は、無線ネットワークを選択し、選択した無線ネットワークにアクセスするための略図である。様々な実施形態では、ステップ１３０２及び１３０４において、ネットワーク装置１００４及びネットワーク装置１００６が、第１及び第２のネットワーク識別子をデジタル装置１００２に提供する。ステップ１３０６において、デジタル装置１００２が、ネットワーク装置１００４及びネットワーク装置１００６に関連する無線ネットワークに関する測定を行うことにより、測定基準（すなわち属性）を生成する。いくつかの例では、測定基準として、待ち時間、信号強度、又はＱＯＳ測定基準を挙げることができる。
【０１４８】
ステップ１３０８において、デジタル装置１００２が、ネットワーク装置１００４からのネットワーク識別子及びネットワーク装置１００６からのネットワーク識別子を含むことができる利用可能な無線ネットワークのリストを生成する。いくつかの実施形態では、デジタル装置１００２が、２つのネットワーク識別子間の優先度を示すこと、又はネットワーク識別子の一方又は両方を削除することができる個別設定を含むこともできる。１つの例では、個別設定が、（「ｌｉｎｋｓｙｓ」などの）デフォルトのメーカＳＳＩＤを有していないオープンネットワークにのみアクセスできることを示す。この例では、ネットワーク装置１００４からのネットワーク識別子がデフォルトのメーカＳＳＩＤを示す場合、デジタル装置１００２は、このネットワーク装置１００４のネットワーク識別子を利用可能な無線ネットワークのリスト内に含めることができない。
【０１４９】
いくつかの実施形態では、デジタル装置１００２が少なくとも２又はそれ以上のネットワークを識別するリストを生成できない場合、デジタル装置１００２はリストを送らない。１つの例では、デジタル装置１００２が、ユーザ要件を満たす利用可能な無線ネットワークを１つしか識別できない場合、デジタル装置１００２は、無線ネットワークに直接アクセスしようと試みるか、或いは信用証明書要求をサーバへ送信して、アクセスに必要ないずれかの信用証明書を取り出すことができる。
【０１５０】
ステップ１３１０において、デジタル装置１００２が、利用可能なネットワークの属性及びリストをルールサーバ１０１０に提供する際にプロキシのように振る舞うネットワーク装置１００６の（ポート５３などの）オープンポートを介して、属性及び利用可能な無線ネットワークのリストを提供する。他の実施形態では、デジタル装置１００２が、ネットワーク装置１００４のオープンポートを介して属性及びリストを提供する。或いは、デジタル装置１００２は、別個のネットワークを介して属性及びリストを（例えば、ネットワーク装置のうちの１つのオープンポートを介して属性を、及びセルラネットワークを介してリストを）提供することもできる。ステップ１３１２において、ＤＮＳを介して属性及びリストをルールサーバ１０１０に提供することにより、ネットワーク装置１００６がプロキシの役割を果たす。
【０１５１】
ステップ１３１４において、ルールサーバ１０１０がネットワークプロファイルを取り出す。１つの例では、ルールサーバ１０１０がリストからネットワーク識別子を取り出し、このネットワーク識別子に関連するネットワークプロファイルを取り出す。
【０１５２】
ステップ１３１６において、ルールサーバ１０１０（又はプロファイルサーバ１０１４）が、ネットワークプロファイル内の属性をデジタル装置１００２から受け取った属性に更新する。１つの例では、デジタル装置１００２からの新たな待ち時間測定基準を使用して、ネットワーク装置１００４からのネットワーク識別子に関連するネットワークプロファイルを更新する。新たな待ち時間測定基準が最近のものであることを示すために、属性に関連する有効期間値を更新することもできる。
【０１５３】
ステップ１３１８において、ルールサーバ１０１０が、ネットワークプロファイル内から得た属性の比較に基づいてネットワーク装置を選択する。いくつかの実施形態では、ルールサーバ１０１０が、（ウェブサーバ１０１８などを介して）デジタル装置１００２から、又はデジタル装置１００２に関連するアカウントから得た個別設定も適用した後で選択を行う。ルールサーバ１０１０は、デジタル装置１００２により提供されたリストから、２つのネットワーク装置の優先順位リストを作成することができる。リストには、２つのネットワーク装置のうちのいずれの方がネットワークプロファイルからの測定基準に基づいて最も望ましいサービスを提供するかに基づいて優先順位が付けられる。
【０１５４】
ステップ１３２０において、ルールサーバ１０１０が、デジタル装置１００２へ情報を送るためのプロキシとして機能するために、ＤＮＳを介してネットワーク装置１００６へ無線ネットワーク選択及び信用証明書を提供する。１つの例では、ルールサーバ１０１０がネットワーク装置１００４を選択する。ルールサーバ１０１０は、ネットワーク装置１００４のネットワーク識別子に基づいてネットワーク装置１００４の信用証明書を取り出すことができる。例えば、ルールサーバ１０１０は、信用証明書サーバ１０１６に信用証明書要求を提供することができる。信用証明書サーバ１０１６は、必要な信用証明書を含む信用証明書要求応答をルールサーバ１０１０に提供することができ、その後このルールサーバ１０１０が、信用証明書サーバ１０１６から受け取った信用証明書及び無線ネットワーク選択をデジタル装置１００２へ送信する。
【０１５５】
その後、ステップ１３２２において、ネットワーク装置１００６が、オープンポートを介してネットワーク選択及び信用証明書をデジタル装置１００２に提供する。ステップ１３２４において、デジタル装置１００２が、信用証明書を提供してネットワーク装置１００４にアクセスし、ネットワークに関する追加の属性を生成する（すなわち追加測定を行う）。接続が確立されると、ステップ１３２６において、ルールサーバ１０１０又はプロファイルサーバ１０１４に新しい属性が提供されて、ネットワーク装置１００４に関連するネットワークプロファイルが更新される。１つの例では、デジタル装置１００２が、ネットワーク装置１００４との接続を確立するのに必要な時間を測定することができる。その後、この接続を確立するのに必要な時間を使用して、ネットワークプロファイル内の属性を更新することができる。接続が確立されなかったり、又は失敗した場合、この情報を提供して関連するネットワークプロファイルを更新することもできる。
【０１５６】
いくつかの実施形態では、選択したネットワークとのネットワーク接続が失敗した場合、デジタル装置１００２は接続を再試行することができる。接続をしようとする複数の試みが失敗した場合、この失敗に関する情報が送られて、関連するネットワークプロファイルが更新される。その後、デジタル装置１００２は、（ネットワーク装置１００６などの）別のネットワーク装置との接続を試みることができる。いくつかの実施形態では、デジタル装置１００２が領域を再走査して、利用可能なネットワークの新しいリストを生成し、このリストに、デジタル装置１００２が接続を失敗したネットワークを含めないようにすることができる。この新しいリストをルールサーバ１０１０へ送って新しい無線ネットワーク選択を受け取り、この処理を繰り返すことができる。
【０１５７】
いくつかの実施形態では、ルールサーバ１０１０が、優先度によりソートされた利用可能な無線ネットワークの優先順位リストを提供する。１つの例では、ルールサーバ１０１０が、３つのネットワークの優先順位リストをデジタル装置１００２に提供する。その後、デジタル装置１００２は、この優先順位リストに基づいて第１の無線ネットワークにアクセスしようと試みることができる。デジタル装置１００２は、第１の無線ネットワークに接続できなかった場合、リスト上の次のネットワークへの接続を試行することができる。当業者であれば、この優先順位リストが、利用可能な無線ネットワークのリスト内で識別された無線ネットワークの全て、１つ、又はいくつかを含むことができると理解するであろう。例えば、ルールサーバ１０１０は、性能が劣ると分かっていたり、（ＶｏＩＰサービスなどの）所望のサービスを提供しなかったり、及び／又は別様にブラックリストに載っている無線ネットワークを識別することはできない。
【０１５８】
様々な実施形態では、デジタル装置１００２のユーザが、無線ネットワーク選択を無効にしていずれかの無線ネットワークにアクセスすることができる。１つの例では、ユーザが、利用可能な無線ネットワークの優先順位を選択する。いくつかの実施形態では、ユーザが、デジタル装置１００２、又はウェブサーバ１０１８とのアカウントを、ルールサーバ１０１０から得た無線ネットワークの優先順位リストを並べ替え、又は別様に変更することができる個人的な優先度を含むように構成することができる。例えば、利用可能な無線ネットワークのリストをルールサーバ１０１０に提供する前に、デジタル装置１００２又はウェブサーバ１０１８が、このリストをユーザの優先度に基づいて変更することができる。
【０１５９】
いくつかの実施形態では、１又はそれ以上のオープンなＷｉ−Ｆｉネットワークに加え、所定の位置に１又はそれ以上の暗号化されたＷｉ−Ｆｉネットワークが存在することもある。デジタル装置１００２は、オープンなＷｉ−Ｆｉネットワークに接続して、暗号化されたＷｉ−Ｆｉネットワークを含む他のＷｉ−ＦｉネットワークのＳＳＩＤをＨＴＴＰなどのネットワーク通信プロトコルを介してルールサーバ１０１０へ送信することができる。
【０１６０】
その後、ルールサーバ１０１０は、個別設定又はその他のルールに基づいて、利用可能な暗号化されたＷｉ−Ｆｉネットワークがネットワーク接続にとって好ましい選択であると判定することができる。ルールサーバ１０１０は、現在のオープンなＷｉ−Ｆｉネットワーク接続を介してデジタル装置１００２へ必要な暗号鍵を送信するとともに、暗号化されたＷｉ−Ｆｉネットワークに切り替えるための命令をデジタル装置１００２へ送ることができる。
【０１６１】
本明細書で説明しているように、ＳＳＩＤ又はその他のネットワーク識別子が、ネットワークにアクセスするために必要なネットワーク信用証明書を識別するのに不十分な場合がある。例えば、同じＳＳＩＤ又はその他のネットワーク識別子を複数のネットワークが共有している場合、又は共有できる場合がある。従って、信用証明書サーバは、ＳＳＩＤを有するネットワークの少なくとも１つのネットワーク信用証明書を提供することができる。デジタル装置は、ネットワークにうまくアクセスできなかった場合、信用証明書サーバに新たな信用証明書要求を提出することができる。その後、信用証明書サーバは、同じＳＳＩＤを共有する異なるネットワークのネットワーク信用証明書を提供することができる。いくつかの実施形態では、正しいネットワーク信用証明書が提供されるまで、所定の時間が満了するまで、又は所定の試行回数が行われるまでこの処理を継続することができる。
【０１６２】
いくつかの実施形態では、信用証明書サーバが、同じＳＳＩＤを共有する可能性のある様々なネットワークから、あらゆる数の方法でネットワーク信用証明書を選択することができる。例えば、信用証明書サーバは、最も多くの人々が最もよくアクセスするネットワークのネットワーク信用証明書を提供することができる。いくつかの実施形態では、信用証明書サーバが、アクセスを要求しているユーザ又はデジタル装置が最もよくアクセスするアクセスネットワークのネットワーク信用証明書を提供することができる。或いは、信用証明書サーバは、（例えば、ＧＰＳ位置情報、ＡＧＰＳ位置情報を通じて、又はデジタル装置による走査で識別できるような、デジタル装置が利用できる他のネットワークのリストを通じて）ユーザの最も近くに位置するネットワークのネットワーク信用証明書を提供することができる。以前にデジタル装置に提供したネットワーク信用証明書がうまくいかなかった場合、信用証明書サーバは、別の方法に基づいて新たなネットワーク信用証明書を選択することができる。
【０１６３】
いくつかの実施形態では、信用証明書サーバ１１６が、ネットワーク信用証明書を提供するのではなく、追加のネットワーク情報を要求することができる。例えば、信用証明書サーバは、ネットワーク識別子を受け取り、このネットワーク識別子が複数のネットワークにより共有されており、又は共有されている可能性があると判断することができる。その後、信用証明書要求応答は、デジタル装置に追加のネットワーク情報を要求することができる。追加のネットワーク情報は、例えば、そのネットワークに関連するネットワーク装置からのウェブページのタイトル又は他のいずれかの情報などの、ネットワークに関するいずれかの追加情報を含むことができる。この結果、デジタル装置は、信用証明書サーバに追加のネットワーク情報を提供し、その後、信用証明書サーバは、デジタル装置に提供すべき正しいネットワーク信用証明書を識別することができる。
【０１６４】
図１４は、いくつかの実施形態におけるデジタル装置１０２のボックス図である。様々な実施形態では、ネットワークに関連するネットワーク識別子が共有され得る場合、デジタル装置１０２を、信用証明書サーバ１１６に追加のネットワーク情報を提供してネットワーク信用証明書を受け取るように構成することができる。デジタル装置１０２は、要求モジュール１４０２、確認モジュール１４０４、取り出しモジュール１４０６、ネットワークアクセスエンジン１４０８、及びリストモジュール１４１０を備えることができる。多くの点において、デジタル装置１０２は、本明細書で説明するように機能することができる。
【０１６５】
要求モジュール１４０２は、デジタル装置１０２の近くの領域を走査して、（単複の）無線ネットワークに関連するＳＳＩＤなどの１又はそれ以上のネットワーク識別子を受け取るように構成することができる。要求モジュール１４０２を、１又はそれ以上のネットワーク識別子を含む信用証明書要求を生成するように構成することもできる。信用証明書要求は、ＤＮＳプロトコルメッセージとしてフォーマットすることができる。信用証明書要求は、ＵＤＰプロトコルでフォーマットすることができる。要求モジュール１４０２は、走査されたネットワークの少なくとも１つに関連するネットワーク装置を介して、ネットワークに信用証明書要求を提供することができる。本明細書で説明しているように、ネットワーク装置は、ポート５３などの少なくとも１つのオープンポートを含むことができる。要求モジュール１４０２は、このオープンポートを介して信用証明書サーバ１１６に信用証明書要求を提供することができる。
【０１６６】
応答モジュール１４０４は、信用証明書サーバ１１６から（ネットワーク装置１０４のオープンポートなどを介して）信用証明書要求応答を受け取ることができる。様々な実施形態では、応答モジュール１４０４が、信用証明書要求応答からネットワーク信用証明書又は追加のネットワーク情報の要求を取り出すことができる。１つの例では、信用証明書サーバ１１６が、不十分な情報が存在する（例えば、ＳＳＩＤが複数のネットワークにより共有されている）と判断した場合、デジタル装置１０２に追加のネットワーク情報を要求する信用証明書要求応答を提供することができる。
【０１６７】
追加のネットワーク情報は、ネットワークに関するいずれかの情報を含むことができる。いくつかの実施形態では、追加のネットワーク情報が、ＳＳＩＤ、ＢＳＳＩＤ、ネットワーク装置１０４から受け取ったウェブページのタイトル、無線インターネットサービスプロバイダローミング（ＷｌＳＰｒ）タグ、ウェブページ上の第１のヘッダ、及び／又はネットワーク装置１０４から受け取ったリダイレクト用ＵＲＬを含む。当業者であれば、この追加のネットワーク情報が、ネットワーク装置を識別する識別子、ネットワークを識別する識別子、又はネットワーク装置から受け取った（ログインページ、リダイレクトページ、又は情報要求フィールドを含むウェブページなどの）情報のようなあらゆる情報を含むことができると理解するであろう。
【０１６８】
取り出しモジュール１４０６は、追加のネットワーク情報の要求に基づいて信用証明書サーバ１１６に追加情報を提供するように構成することができる。様々な実施形態では、取り出しモジュール１４０６が、ネットワーク装置１０４から以前に受け取った追加のネットワーク情報を含む第２の信用証明書要求を生成する。いくつかの実施形態では、取り出しモジュール１４０６が、ネットワーク装置１０４から追加のネットワーク情報を取り出す。例えば、取り出しモジュール１４０６は、ネットワーク装置１０４にウェブページを要求してこれを受け取ることができる。次に、取り出しモジュール１４０６は、ウェブページのタイトル、ＵＲＬ、リダイレクトページ識別子、ネットワーク装置１０４から受け取ったウェブページの１又はそれ以上のフィールドに関連する識別子などを、第２の信用証明書要求に含めて提供することができる。次に、要求モジュール１４０２は、この第２の信用証明書要求をネットワークに（例えば、最初の信用証明書要求に関して説明した方法と同様の方法で）提供することができる。第１の信用証明書要求と同様に、第２の信用証明書要求も、ＤＮＳプロトコルメッセージとしてフォーマットすることができる。信用証明書要求は、ＵＤＰプロトコルでフォーマットすることができる。
【０１６９】
ネットワーク識別子及び／又は追加のネットワーク情報が十分なものである場合、応答モジュール１４０４は、第２の信用証明書要求に応答して信用証明書サーバ１１６から第２の信用証明書要求応答を受け取ることができる。第２の信用証明書要求は、ネットワーク信用証明書を含むことができる。
【０１７０】
ネットワークアクセスエンジン１４０８は、ネットワーク識別子及び／又は追加のネットワーク情報に関連する無線ネットワークにネットワーク信用証明書を提供するように構成することができる。ネットワークアクセスエンジン１４０８は、本明細書、及び２００７年９月６日に出願された「ネットワーク信用証明書を取得するためのシステム及び方法］という名称の同時係属中米国特許出願第１１／８９９，６９７号に記載されるようなネットワーク信用証明書をネットワークに提供するように構成することができ、該特許は本明細書に組み入れられる。
【０１７１】
ネットワークアクセスが許可された場合、ネットワークアクセスエンジン１４０８は、提供されたネットワーク信用証明書がうまくいったことを確認するメッセージを信用証明書サーバ１１６へ任意に送信することができる。ネットワークアクセスが許可されなかった場合、ネットワークアクセスエンジン１４０８は、別の信用証明書要求で追加のネットワーク情報を提供するように取り出しモジュール１４０６に通知し、及び／又は受け取ったネットワーク信用証明書によるアクセスの試行がうまくいかなかった旨のメッセージを信用証明書サーバ１１６に対して生成することができる。デジタル装置１０２がネットワークにアクセスしなかった場合、デジタル装置１０２は、次にネットワークへのアクセスに成功したときに、アクセスの試みに関する情報のログを信用証明書サーバ１１６に提供することができる。
【０１７２】
いくつかの実施形態では、ホワイトリスト及び／又はブラックリストを使用して、複数の信用証明書要求の送信を低減又は回避することができる。例えば、リストモジュール１４１０を、ホワイトリスト及び／又はブラックリストに照らして１又はそれ以上のネットワーク識別子をチェックするように構成することができる。ホワイトリスト及び／又はブラックリストは、信用証明書サーバ１１６又は他のいずれかのデジタル装置１０２により定期的に更新することができる。
【０１７３】
いくつかの実施形態では、リストモジュール１４１０が、ブラックリストに照らしてネットワーク識別子をチェックする。（ＳＳＩＤなどの）ネットワーク識別子がブラックリスト上にある場合、追加のネットワーク情報を必要とすることができる。例えば、ブラックリストは、複数のネットワークが共有し得るＳＳＩＤのリストを含むことができる。ネットワーク識別子がブラックリスト上にある場合、リストモジュール１４１０は、追加のネットワーク情報を信用証明書要求に含めて提供するように取り出しモジュール１４０６に通知することができる。信用証明書要求を受け取る信用証明書サーバ１１６は、このネットワーク識別子及び追加のネットワーク情報を使用してネットワーク信用証明書を提供することができる。いくつかの実施形態では、ブラックリストが、複数のネットワークが共有し得るＳＳＩＤのリストと、正しいネットワーク信用証明書を受け取る速さ及び／又は可能性を高めるためにどのような追加のネットワーク情報を提供すればよいかに関する命令とを含む。
【０１７４】
いくつかの実施形態では、リストモジュール１４１０が、ホワイトリストに照らしてネットワーク識別子をチェックする。（ＳＳＩＤなどの）ネットワーク識別子がホワイトリストの上にある場合、追加のネットワーク情報を必要としなくてもよい。例えば、ホワイトリストは、複数のネットワークが共有していないと考えられるＳＳＩＤのリストを含むことができる。しかしながら、ネットワーク識別子がホワイトリスト上にない場合、リストモジュール１４１０は、追加のネットワーク情報を信用証明書要求に含めて提供するように取り出しモジュール１４０６に通知することができる。信用証明書要求を受け取る信用証明書サーバ１１６は、このネットワーク識別子及び追加のネットワーク情報を使用してネットワーク信用証明書を提供することができる。
【０１７５】
いくつかの実施形態では、ブラックリストが、デジタル装置１０２がアクセス許可を受けていないネットワーク装置の（ＳＳＩＤ又はＢＳＳＩＤなどの）ネットワーク識別子のリストを含む。例えば、保護されていないネットワーク装置の所有者は、（友人又は特定の喫茶店の客などの）限られた数の人々しかネットワークにアクセスしないように望むことができる。いくつかの実施形態では、デジタル装置１０２が、保護されていないネットワーク装置のネットワーク識別子を受け取り、このネットワーク識別子を（例えば、デジタル装置１０２又は信用証明書サーバ１１６により）ブラックリストと比較することができる。このネットワーク識別子がブラックリストに関連している場合、デジタル装置１０２は、ネットワークに接続する試みを中止し、又はネットワークとの接続を絶つことができる。
【０１７６】
ホワイトリストは、デジタル装置１０２がアクセスを許可されたネットワークに関連するネットワーク識別子のリストを含むこともできる。例えば、デジタル装置１０２又は信用証明書サーバ１１６は、ネットワーク識別子をホワイトリストに照らしてチェックし、ネットワークがホワイトリストに関連しているかどうかを判断することができる。ネットワークがホワイトリストに関連している場合、デジタル装置１０２は、ネットワークに接続し、又は接続したままにしておくことができる。いくつかの実施形態では、ホワイトリストが好ましいネットワークのリストを含む。この例では、デジタル装置１０２が、複数の利用可能なネットワークのリストからホワイトリストに関連するネットワーク識別子を選択することができる。
【０１７７】
図１５は、いくつかの実施形態における、ネットワーク識別子がネットワーク信用証明書を識別するのに不十分な可能性がある場合の、ネットワーク信用証明書を取り出す例示的な方法のフロー図である。このフロー図は、いくつかの実施形態における、デジタル装置１０２、ネットワーク装置１０４、ＤＮＳサーバ１１０、及び信用証明書サーバ１１６間の、及びこれらの装置による通信及び活動を示す。様々な実施形態では、デジタル装置１０２が、デジタル装置１０２の近くの領域を走査して１又はそれ以上の無線ネットワークを識別することができる。ステップ１５０２において、ネットワーク装置１０４が、デジタル装置１０２からの走査に応答してネットワーク識別子を提供することができる。いくつかの実施形態では、ネットワーク識別子がＳＳＩＤ及び／又はＢＳＳＩＤである。
【０１７８】
ステップ１５０４において、デジタル装置１０２が、受け取ったネットワーク識別子を含む第１の信用証明書要求を生成する。第１の信用証明書要求は、デジタル装置１０２の識別子、ソフトウェアライセンス番号、又は他のいずれかの情報を含むこともできる。第１の信用証明書要求は符号化することができる。例えば、第１の信用証明書要求内の情報を１６進符号化することができる。
【０１７９】
様々な実施形態では、第１の信用証明書要求がＤＮＳプロトコルの形を取り、これがネットワーク装置１０４のオープンポート（ポート５３など）を介してＤＮＳサーバ１１０に提供される。ステップ１５０８において、ＤＮＳサーバ１１０が、第１の信用証明書要求を信用証明書サーバ１１６にリダイレクトすることができる。
【０１８０】
信用証明書サーバ１１６は、ルールサーバ１０１０を含むことができ、又はルールサーバ１０１０とすることができる。いくつかの実施形態では、信用証明書サーバ１１６が、第１の信用証明書要求を受け取ってネットワーク識別子を取り出すことができる。いくつかの実施形態では、信用証明書サーバ１１６が、ネットワーク識別子を取り出すために第１の信用証明書要求を復号する。
【０１８１】
ステップ１５１０において、信用証明書サーバ１１６が、ネットワーク識別子がネットワーク信用証明書を識別するのに十分であるかどうかを判定する。例えば、ネットワーク識別子が別のネットワークと共有されている可能性がある。いくつかの実施形態では、信用証明書サーバ１１６が、表、データベース又はその他のいずれかのデータ構造などのデータ構造を走査して、第１の信用証明書要求から取り出したネットワーク識別子が２又はそれ以上のネットワークによって共有されている可能性があるかどうかを判定する。１つの例では、このデータ構造が、複数のネットワークにより共有されているネットワーク識別子のリストを含むブラックリストである。
【０１８２】
いくつかの実施形態では、信用証明書サーバ１１６が、ネットワーク信用証明書を識別するのに不十分な情報しか存在しないと判定することができる。１つの例では、ネットワーク識別子が、ＳＳＩＤ及びＢＳＳＩＤを含むことができる。ＳＳＩＤが複数のネットワークに関連し、信用証明書サーバ１１６が、ＢＳＳＩＤ（ネットワーク装置のＭＡＣアドレスなど）に関連するネットワーク信用証明書を有していないこともある。ネットワーク識別子が不十分な場合、信用証明書サーバ１１６は、追加のネットワーク情報を要求する第１の信用証明書要求応答を生成することができる。信用証明書サーバ１１６は、この追加のネットワーク情報を使用して正しいネットワーク及び／又はネットワーク信用証明書を識別することができる。
【０１８３】
様々な実施形態では、追加のネットワーク情報の要求が、デジタル装置１０２がネットワーク装置１０４に関するアクセスを得ることができるいずれかの追加情報の要求を含む。いくつかの実施形態では、信用証明書サーバ１１６が、ネットワーク信用証明書を識別するためにどのような追加のネットワーク情報が必要かを判断し、この追加のネットワーク情報のみを明確に要求する。例えば、２つの考えられるネットワークを識別するために、ネットワーク装置１０４からウェブページのタイトルを受け取ることで十分な場合もある。信用証明書サーバ１１６は、ネットワーク装置１０４のウェブページのタイトルの要求を第１の信用証明書要求応答に含めることができる。他の実施形態では、信用証明書サーバ１１６が、様々な異なる種類の追加のネットワーク情報を要求することができる。
【０１８４】
この追加のネットワーク情報の要求を含む第１の信用証明書要求応答をＤＮＳサーバ１１０に戻すことができる。１つの例では、第１の信用証明書要求応答がＵＤＰプロトコルとしてフォーマットされ、信用証明書サーバ１１６が第１の信用証明書要求を受け取った処理と同様の態様でデジタル装置１０２に戻される。ステップ１５１４において、ＤＮＳサーバ１１０が、第１の信用証明書要求応答を受け取り、これをネットワーク装置１０４のオープンポートを介してデジタル装置１０２へリダイレクトすることができる。
【０１８５】
ステップ１５１６において、デジタル装置１０２が、第１の信用証明書要求応答から追加情報の要求を取り出し、追加のネットワーク情報１５１６を含む第２の信用証明書要求を準備する。いくつかの実施形態では、デジタル装置１０２が、ネットワーク装置１０４にウェブページを要求する。この要求は、ネットワークアクセスを求める要求とすることができる。追加のネットワーク情報は、ネットワーク装置１０４から受け取ったＳＳＩＤ、ＢＳＳＩＤ、ＩＰアドレス、又はその他のいずれかの情報などの情報を含むことができる。いくつかの実施形態では、追加のネットワーク情報が、ウェブページのタイトル、ハッシュ、ＷＩＳＰｒタグ又はＵＲＬ、又はネットワーク装置１０４から受け取ったウェブページのいずれかの部分を含むことができる。
【０１８６】
ステップ１５１８において、デジタル装置１０２が、ＤＮＳサーバ１１０に第２の信用証明書要求を提供する。第２の信用証明書要求は符号化することができる。第１の信用証明書要求と同様に、この第２の信用証明書要求もＵＤＰプロトコルとしてフォーマットし、ネットワーク装置１０４上のオープンポートを介してＤＮＳサーバ１１０に提供することができる。その後、ステップ１５２０において、ＤＮＳサーバ１１０が、この第２の信用証明書要求を信用証明書サーバ１１６へ送ることができる。
【０１８７】
ステップ１５２２において、信用証明書サーバ１１６が、この追加のネットワーク情報に少なくとも部分的に基づいてネットワーク信用証明書を取り出す。信用証明書サーバ１１６は、デジタル装置１０２から以前に受け取ったネットワーク識別子及び／又はその他の追加のネットワーク情報に少なくとも部分的に基づいてネットワーク信用証明書を取り出すこともできる。１つの例では、信用証明書サーバ１１６が、ネットワーク識別子及び／又はいずれかの追加のネットワーク情報に関連するデータ構造からネットワーク信用証明書を取り出すことができる。信用証明書サーバ１１６は、ネットワーク信用証明書を第２の信用証明書要求応答に含めることができる。第２の信用証明書要求応答は、第１の信用証明書要求応答と同様の方法で符号化及び／又は暗号化することができる。
【０１８８】
ステップ１５２４において、第２の信用証明書要求応答がＤＮＳサーバ１１０に戻され、ステップ１５２６において、ＤＮＳサーバ１１０が、この第２の信用証明書要求応答をデジタル装置１０２へ送る。当業者であれば、図１５には単一のＤＮＳサーバ１１０しか示していないが、異なる（単複の）信用証明書要求及び／又は（単複の）信用証明書要求応答を送るＤＮＳサーバがいくつ存在してもよいと理解するであろう。同様に、図１５には信用証明書サーバ１１６を１つしか示していないが、デジタル装置１０２と通信する信用証明書サーバはいくつ存在してもよい。
【０１８９】
ステップ１５２８において、デジタル装置１０２が、第２の信用証明書要求応答からネットワーク信用証明書を取り出し、このネットワーク信用証明書をネットワーク装置１０４に提供する。様々な実施形態では、デジタル装置１０２が、（第１の信用証明書要求応答などの）別の信用証明書要求応答と同様の方法又は異なる方法で、第２の信用証明書要求応答を認証及び／又は複合することができる。
【０１９０】
当業者であれば、信用証明書サーバ１１６が様々な異なるネットワーク情報をあらゆる順序で要求できることを理解するであろう。例えば、いくつかの実施形態では、信用証明書サーバ１１６が、追加のネットワーク情報の優先リストをデジタル装置１０２に提供することができる。デジタル装置１０２は、この優先リストを調べて、この要求される追加のネットワーク情報を利用できるかどうかを判定する。追加のネットワーク情報を利用できる場合、デジタル装置１０２は、この追加のネットワーク情報を第２の信用証明書要求に含めて信用証明書サーバ１１６に提供することができる。いくつかの実施形態では、デジタル装置１０２が、追加のネットワーク情報の一部のみを信用証明書サーバ１１６に提供することができる。信用証明書サーバ１１６は、ネットワーク識別子及び／又は追加のネットワーク情報が２又はそれ以上のネットワークにより共有されており、又は別様に不十分であると判定した場合、さらなるネットワーク情報の要求を別の信用証明書要求応答に含めて提供することができる。
【０１９１】
図１５では、ネットワーク識別子をＳＳＩＤとして説明しているが、当業者であれば、ネットワーク識別子が（ＢＳＳＩＤなどの）いずれの識別子又は識別子の組み合わせであってもよいと理解するであろう。例えば、ネットワーク装置１０４は、デジタル装置１０２にＢＳＳＩＤを提供することができる。このＢＳＳＩＤが以前に識別されたことがなく又は別様に不十分な場合、ステップ１５１２において、信用証明書サーバ１１６が、第１の信用証明書要求応答においてさらなる情報を要求することができる。これに応答して、デジタル装置１０２は、ネットワーク信用証明書を含む第２の信用証明書要求応答を受け取るために、信用証明書サーバ１１６に追加のネットワーク情報を提供することができる。
【０１９２】
図１６は、いくつかの実施形態における、ネットワーク識別子が不十分な場合にデジタル装置１０２がネットワーク信用証明書を受け取る例示的な方法のフロー図である。ステップ１６０２において、デジタル装置１０２が、利用可能な１又はそれ以上の無線ネットワークを求めて領域を走査する。１つの例では、デジタル装置１０２が、利用可能な無線ネットワークを求めてマクドナルドの店を走査する。この例では、ステップ１６０４において、デジタル装置１０２が無線ネットワークのネットワーク識別子を受け取る。ＡＴ＆Ｔ社は、マクドナルドの店にネットワークサービスを提供することができる。この結果、マクドナルドの店にあるネットワーク装置が、「ａｔｔｗｉｆｉ」として利用できるネットワークを識別する（例えば、ＳＳＩＤを提供する）ことができる。
【０１９３】
ステップ１６０６において、デジタル装置１０２が、ＤＮＳプロトコル向けにフォーマットされた第１の信用証明書要求を生成する。第１の信用証明書要求は、「ａｔｔｗｉｆｉ」というネットワーク識別子、及び限定するわけではないが、（ＭＡＣアドレスなどの）デジタル装置１０２識別子などのその他の情報を含むことができる。デジタル装置１０２は、ネットワーク装置上のオープンポートを通じ、ネットワークを介して、又は別のネットワーク装置を介して第１の信用証明書要求を提供することができる。
【０１９４】
ステップ１６０８において、デジタル装置１０２が、ネットワーク装置上のオープンポートを通じ、ネットワークを介して、又は別のネットワーク装置を介して第１の信用証明書要求応答を受け取る。デジタル装置１０２は、第１の信用証明書要求応答から追加のネットワーク情報の要求を取り出すことができる。これに応答して、デジタル装置１０２は、ネットワーク装置からすでに受け取っている追加のネットワーク情報を提供することができる。１つの例では、デジタル装置１０２が、ＳＳＩＤ、及びネットワーク装置から受け取ったウェブページに関する情報を受け取っておくことができる。デジタル装置１０２は、第１の信用証明書要求ではネットワーク識別子としてのＳＳＩＤしか提供しなかったが、第２の信用証明書要求では追加のネットワーク情報を提供することができる。
【０１９５】
ステップ１６１０において、デジタル装置１０２が、追加のネットワーク情報を含む第２の信用証明書要求を生成する。１つの例では、第２の信用証明書要求応答が、（ネットワーク装置のＳＳＩＤなどの）以前に提供したネットワーク識別子及び／又はネットワーク装置に関する追加のネットワーク情報を含むことができる。その後、デジタル装置１０２は、ネットワークを介して第２の信用証明書要求を提供することができる。
【０１９６】
ステップ１６１２において、デジタル装置１０２が、第２の信用証明書要求応答を受け取ることができる。第２の信用証明書要求応答は、ネットワーク信用証明書を含むことができる。他の実施形態では、第２の信用証明書要求応答が追加のネットワーク情報を要求することもあり、この追加のネットワーク情報を含む新たな信用証明書要求を生成できるものとして、処理をステップ１６１０から繰り返すことができる。いくつかの実施形態では、第２の信用証明書要求応答によりネットワーク信用証明書を利用できない旨を指示して処理を終了することもできる。
【０１９７】
ステップ１６１４において、ネットワーク信用証明書が利用可能であれば、デジタル装置１０２がこれを第２の信用証明書要求応答から取り出す。本明細書で説明しているように、デジタル装置１０２は、第２の信用証明書要求応答を認証、復号、及び／又は解読することができる。ステップ１６１６において、デジタル装置１０２が、第２の信用証明書要求応答から取り出したネットワーク信用証明書をネットワーク装置に提供することができる。
【０１９８】
図１７は、いくつかの実施形態における、信用証明書サーバ１１６がネットワーク信用証明書を提供する例示的な方法のフロー図である。ステップ１７０４において、信用証明書サーバ１１６が、デジタル装置１０２から第１の信用証明書要求を受け取ることができる。ステップ１７０４において、信用証明書サーバ１１６が、第１の信用証明書要求を復号して、（「ａｔｔｗｉｆｉ」のＳＳＩＤなどの）ネットワーク識別子を取り出すことができる。
【０１９９】
ステップ１７０６において、信用証明書サーバ１１６が、ネットワーク識別子が１又はそれ以上のネットワーク信用証明書を識別するのに不十分であると判定することができる。１つの例では、「ａｔｔｗｉｆｉ」のＳＳＩＤが、他のレストラン、喫茶店などを含む、ＡＴ＆Ｔ社がネットワークアクセスを提供する幅広い数のネットワーク装置を識別する場合がある。他のネットワーク装置の１又はそれ以上は、異なるネットワーク信用証明書を必要とすることがある。例えば、ＡＴ＆Ｔ社は、マクドナルドにおいてネットワークアクセスを提供し、限られた時間の間は無料にすると同時に、スターバックスにおいては、購入又はカード番号を求めることができる。しかしながら、マクドナルド及びスターバックスの両方におけるネットワーク装置は、同じＳＳＩＤを共有することができる。
【０２００】
信用証明書サーバ１１６は、第１の信用証明書要求で提供されたネットワーク識別子が正しいネットワーク信用証明書（例えば、スターバックスにおけるカード番号を含むネットワーク信用証明書、又はマクドナルドにおける無料アクセスに必要なウェブページに対する正しい入力）を求めるのに不十分な可能性があると判定することができる。
【０２０１】
信用証明書サーバ１１６は、追加のネットワーク情報を求めることができる。例えば、ネットワークサービスプロバイダ、ＡＴ＆Ｔ社を通じて、限られた数のマクドナルドのみが無料で無線アクセスできるようにされていることがある。従って、信用証明書サーバ１１６は、（「ａｔｔｗｉｆｉ」などの）ＳＳＩＤ、及び（「ｈｔｔｐ：／／ｗｗｗ. ＭｃＤｏｎａｌｄｓ．ｃｏｍ／ＡＴＴｍｏｂｉｌｅ／ｆｒｅｅａａｃｃｅｓｓ」などの）リダイレクト先のウェブページのＵＲＬを求めることができる。信用証明書サーバ１１６は、十分な量の情報を受け取ると、デジタル装置１０２にネットワーク信用証明書を提供することができる。
【０２０２】
当業者であれば、ネットワーク識別子及び／又は追加のネットワーク情報を１つのネットワーク又はネットワーク装置に対してのみ一意ではないようにすることができると理解するであろう。上記の例では、無料の無線アクセスを提供するためのプロモーションに参加する２又はそれ以上のマクドナルドが、同じネットワーク識別子、及び少なくとも類似する何らかの追加のネットワーク情報を提供することができる。いくつかの実施形態では、信用証明書サーバ１１６が、所望のネットワーク信用証明書を十分に識別できる（例えば、このネットワーク識別子を提供するネットワーク装置が参加中のマクドナルドに属する）と判断したら、所望のネットワーク信用証明書を提供することができる。
【０２０３】
いくつかの実施形態では、信用証明書サーバ１１６が、１又はそれ以上のネットワーク信用証明書を識別するために、ネットワーク装置が提供するサービスの１又はそれ以上の側面を判定する。例えば、ホテル又は図書館によっては、各々が（１０１号室、１０２号室．．．などの）別個のネットワーク識別子を有することができる複数のネットワーク装置を有していることがある。信用証明書サーバ１１６は、この信用証明書サーバ１１６が認識しないネットワーク識別子を受け取った場合、ログインウェブページのタイトルなどの追加情報を要求する信用証明書要求応答を提供することができる。デジタル装置１０２は、「Ｈｙａｔｔ  Ｈｏｔｅｌ．Ａｕｓｔｉｎ．ＴＸ」を示すタイトルを提供することができる。この例では、全てのハイアットホテルが同じネットワーク信用証明書を共有できる（例えば、全てのハイアットホテルが同じログインページを共有する）ので、信用証明書サーバ１１６は、テキサス州オースティンにあるいずれのハイアットホテルが特定のＳＳＩＤ及びタイトルに関連し得るかを明確に識別しなくても正しいネットワーク信用証明書を提供することができる。
【０２０４】
信用証明書サーバ１１６は、信用証明書要求から十分な情報が受け取られたことをあらゆる数の方法で識別することができる。１つの例では、信用証明書サーバ１１６が、ネットワーク識別子及び追加のネットワーク情報をデータ構造と比較する。このデータ構造は、例えば、どのようなネットワーク識別子及び／又は追加のネットワーク情報であれば、１又はそれ以上のネットワーク信用証明書を識別するのに十分であり得るかを示すことができる。或いは、このデータ構造は、例えば、どのようなネットワーク識別子及び／又は追加のネットワーク情報であれば、１又はそれ以上のネットワーク信用証明書を識別するのに不十分であるかを示すこともできる。いくつかの実施形態では、このデータ構造が、１又はそれ以上のネットワーク信用証明書を識別するためにどのようなさらなる追加のネットワーク情報を使用できるかを識別することができる。
【０２０５】
ネットワーク識別子がネットワーク信用証明書を識別するのに十分である場合、ステップ１７１６において、信用証明書サーバ１１６が、このネットワーク識別子に基づいてネットワーク信用証明書を取り出すことができる。ネットワーク識別子がネットワーク信用証明書を識別するのに十分でない場合、ステップ１７０８において、信用証明書サーバ１１６が、追加のネットワーク情報を要求する他の（すなわち第２の）信用証明書要求応答を準備することができる。いくつかの実施形態では、信用証明書サーバ１１６が、（単複の）ネットワーク信用証明書を提供するためにどのような追加のネットワーク情報が有用となり得るかを識別できる識別子を信用証明書要求応答に含めることができる。ステップ１７１０において、信用証明書サーバ１１６が、デジタル装置１０２に信用証明書要求応答を提供する。
【０２０６】
ステップ１７１２において、信用証明書サーバ１１６が、デジタル装置１０２から他の信用証明書要求（すなわち第２の信用証明書要求）を受け取ることができる。信用証明書サーバ１１６は、この他の信用証明書要求から追加のネットワーク情報を取り出すことができる。次に、信用証明書サーバ１１６は、以前に受け取った信用証明書要求の１又はそれ以上からのネットワーク識別子及び／又は追加のネットワーク情報が、ネットワーク信用証明書を識別するのに十分であるかどうかを判定することができる。ネットワーク識別子及び／又は追加のネットワーク情報が不十分な場合、ステップ１７０８において、信用証明書要求が、追加のネットワーク情報を要求する別の信用証明書要求応答を準備する処理を継続することができる。ネットワーク識別子及び／又は追加のネットワーク情報が十分である場合、ステップ１７１６において、信用証明書サーバ１１６が、ネットワーク信用証明書を取り出すことができる。
【０２０７】
ステップ１７１８において、信用証明書サーバ１１６が、ネットワーク信用証明書を信用証明書要求応答に含めてデジタル装置１０２に提供することができる。
【０２０８】
図１８は、いくつかの実施形態において、ブラックリストを有するデジタル装置１０２が、１又はそれ以上のネットワーク信用証明書を識別するのに十分な追加のネットワーク情報を提供する別の例示的な方法のフロー図である。ステップ１８０２において、デジタル装置１０２が、利用可能な無線ネットワークを求めて領域を走査する。その後、デジタル装置１０２は、無線ネットワークの少なくとも１つのネットワーク識別子を受け取る。
【０２０９】
ステップ１８０６において、デジタル装置１０２が、この無線ネットワークのネットワーク識別子がブラックリスト上で識別されるかどうかを判定する。ネットワーク識別子がブラックリストで識別された場合、又はブラックリストに関連している場合、ステップ１８０８において、デジタル装置１０２が、追加のネットワーク情報を取り出すことができる。当業者であれば、この追加のネットワーク情報は、ネットワーク装置から又はデジタル装置１０２の（ＲＡＭ、キャッシュ又はハードドライブなどの）記憶装置から取り出すことができると理解するであろう。ステップ１８１０において、この追加のネットワーク情報及び／又はネットワーク識別子を信用証明書要求に含めて提供することができる。
【０２１０】
ネットワーク識別子がブラックリストで識別されない場合、又はブラックリストに関連していない場合、デジタル装置１０２は、このネットワーク識別子を含む信用証明書要求をネットワーク（例えば、ネットワーク装置のオープンポートを通じて）を介して提供することができる。
【０２１１】
ステップ１８１４において、デジタル装置１０２が、ネットワーク信用証明書を含む信用証明書要求応答を受け取ることができる。１つの例では、信用証明書サーバ１１６が、ネットワーク識別子及び／又は追加のネットワーク情報を受け取り、ネットワーク信用証明書を信用証明書要求応答に含めて提供するのに十分な情報を有することができる。デジタル装置１０２は、ステップ１８１６においてネットワーク信用証明書を取り出し、ステップ１８１８においてネットワーク装置にネットワーク信用証明書を提供することができる。
【０２１２】
当業者であれば、追加のネットワーク情報を提供した場合でも、信用証明書サーバ１１６がさらに多くの情報が必要であると判断し、より多くの追加のネットワーク情報の要求を含む信用証明書要求応答を戻すことがあると理解するであろう。いくつかの実施形態では、デジタル装置１０２が、本明細書で説明したような十分な情報をいつ発見できるかを示すホワイトリストを含む。
【０２１３】
当業者であれば、ブラックリスト及び／又はホワイトリストを（信用証明書サーバ１１６などによって）定期的に更新できることを理解するであろう。さらに、ブラックリスト及び／又はホワイトリストを、デジタル装置１０２にインストールしたアプリケーションの一部とすることもできる。他の実施形態では、信用証明書サーバ１１６が、ブラックリスト及び／又はホワイトリストを保持することができる。１つの例では、信用証明書サーバ１１６が、デジタル装置１０２から信用証明書要求を受け取ることができる。このとき、信用証明書サーバ１１６は、ネットワーク識別子をブラックリストに照らしてチェックすることができる。ネットワーク識別子がブラックリストに関連している場合、信用証明書サーバ１１６は、このネットワーク識別子に関連するネットワーク装置にネットワーク信用証明書を提供せず、或いはネットワーク装置との接続を絶つための要求又は命令を含むメッセージをデジタル装置１０２に提供することができる。
【０２１４】
いくつかの実施形態では、信用証明書サーバ１１６が、ネットワーク識別子をホワイトリストに照らしてチェックし、好ましいネットワークを識別し、及び／又はアクセスの許可を示す。１つの例では、ネットワーク識別子がホワイトリストに関連していない場合、信用証明書サーバ１１６は、このネットワーク識別子に関連するネットワーク装置にネットワーク信用証明書を提供せず、或いはネットワーク装置との接続を絶つための要求又は命令を含むメッセージをデジタル装置１０２に提供することができる。
【０２１５】
上述の機能及び構成要素は、コンピュータ可読媒体などの記憶媒体上に記憶された命令で構成することができる。この命令をプロセッサが取り出して実行することができる。命令のいくつかの例として、ソフトウェア、プログラムコード及びファームウェアがある。記憶媒体のいくつかの例としては、記憶装置、テープ、ディスク、集積回路及びサーバがある。この命令は、プロセッサにより実行された場合、プロセッサが本発明の実施形態に従って動作するように導く。当業者は、命令、（単複の）プロセッサ及び記憶媒体に精通している。
【０２１６】
以上、例示的な実施形態を参照しながら本発明について説明した。当業者には、本発明のより広い範囲から逸脱することなく、様々な修正を行うとともに他の実施形態を使用できることが明らかであろう。従って、例示的な実施形態に対するこれらの及びその他の変形も本発明に含まれることが意図されている。
【符号の説明】
【０２１７】
１０２：デジタル装置
１０４：ネットワーク装置
１１０：ＤＮＳサーバ
１１６：信用証明書サーバ
１５０２：ネットワーク識別子
１５０４：第１の信用証明書要求を生成
１５０６：第１の信用証明書要求
１５０８：第１の信用証明書要求
１５１０：ネットワーク識別子が不十分であると判断
１５１２：第１の信用証明書要求応答
１５１４：第１の信用証明書要求応答
１５１６：追加のネットワーク情報を含む第２の信用証明書要求を準備
１５１８：第２の信用証明書要求
１５２０：第２の信用証明書要求
１５２２：追加のネットワーク情報に少なくとも部分的に基づいてネットワーク信用証明書を取り出し
１５２４：第２の信用証明書要求応答
１５２６：第２の信用証明書要求応答
１５２８：ネットワーク信用証明書
【図１】
2012531822.tif 000003
【図２】
2012531822.tif 000004
【図３】
2012531822.tif 000005
【図４】
2012531822.tif 000006
【図５】
2012531822.tif 000007
【図６】
2012531822.tif 000008
【図７】
2012531822.tif 000009
【図８】
2012531822.tif 000010
【図９】
2012531822.tif 000011
【図１０】
2012531822.tif 000012
【図１１】
2012531822.tif 000013
【図１２】
2012531822.tif 000014
【図１３】
2012531822.tif 000015
【図１４】
2012531822.tif 000016
【図１５】
2012531822.tif 000017
【図１６】
2012531822.tif 000018
【図１７】
2012531822.tif 000019
【図１８】
2012531822.tif 000020
【国際調査報告】
2012531822.tif 000021